(57)【要約】【課題】ＨｅｔＮｅｔを採用するセルラーシステムと他のシステムとの間で周波数帯域が共用される場合に特定のノードへの負担の集中を回避することを可能にすることを可能にする。【解決手段】セルラーシステムと他のシステムとの間で共用される共用帯域のうちの、上記セルラーシステムのマクロセル基地局が使用可能な周波数帯域に関する帯域関連情報であって、上記セルラーシステムの複数のマクロセル基地局のためのコントローラにより提供される上記帯域関連情報を取得する取得部と、上記マクロセル基地局が使用可能な上記周波数帯域のうちの、上記マクロセル基地局に対応するスモールセル基地局が使用可能な周波数帯域を決定する制御部と、を備える装置が提供される。【選択図】図９
2019071694.tif 000002
【特許請求の範囲】
【請求項１】
セルラーシステムと他のシステムとの間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得する取得部と、
前記マクロセル基地局が使用可能な前記周波数帯域のうちの、前記マクロセル基地局に対応するスモールセル基地局が使用可能な周波数帯域を決定する制御部と、
を備える装置。
【発明の詳細な説明】
【技術分野】
【０００１】
本開示は、装置に関する。
【背景技術】
【０００２】
２００２年より、日本で第３世代と呼ばれる３Ｇ方式の携帯電話サービスが開始された。当初は、音声通話及びメールの送信などのために小さいサイズのパケットが送受信されていた。しかし、ＨＳＤＰＡ（High  Speed  Downlink  Packet  Access）の導入により、音楽ファイルのダウンロード及び動画のストリーミングなどのために、より大きいサイズのパケットが送受信されるようになった。
【０００３】
このようなパケット容量の増加に伴い、無線ネットワーク側の拡張のために、ダウンリンクにＯＦＤＭＡ（Orthogonal  Frequency  Division  Multiple  Access）を使用するＬＴＥ（Long  Term  Evolution）のサービスも開始された。さらに、２０１５年頃には、４Ｇサービスの開始が予定されている。これにより、準固定で最大１Ｇｂｐｓ（bit  per  second）が実現され、移動環境でも最大１００Ｍｂｐｓが実現され得る。また、例えば、トラフィックが局所的に集中するホットスポットへの対応のため、又は周波数リソースの利用効率の向上のために、スモールセルの活用が検討されている。また、例えば、ホワイトスペースと呼ばれる時間的、局所的に使用されていない周波数帯域をルールに従ってシステム間で共用するための周波数共用技術の導入が検討されている。
【０００４】
例えば、特許文献１には、一次システムに割り当てられた周波数チャネルのうちの二次システムにとって利用可能なチャネルに関する情報を取得し、当該チャネルのうちの二次利用ノードのために推奨されるチャネルのリストを生成し、当該リストを二次利用ノードに通知する技術が、開示されている。また、非特許文献１（１８ページを参照）には、ＴＶＷＳＤＢ（Television  White  Space  Database）が、全てのオペレーショナルパラメータ（ＷＳＤ（White  Space  Device）に許可される周波数ブロックのリストを含む）を生成し、オペレーショナルパラメータをＷＳＤに伝送することが、開示されている。
【先行技術文献】
【特許文献】
【０００５】
【特許文献１】特開２０１２−１７５６１６号公報
【非特許文献】
【０００６】
【非特許文献１】Draft  ETSI  EN  301  598  V1.0.0  (2013-07)  ‘White  Space  Devices  (WSD);  Wireless  Access  Systems  operating  in  the  470  MHz  to  790  MHz  frequency  band;  Harmonized  EN  covering  the  essential  requirements  of  article  3.2  of  the  R&TTE  Directive’
【発明の概要】
【発明が解決しようとする課題】
【０００７】
しかし、上記特許文献１及び上記非特許文献１に開示されている技術によれば、例えば、システム間で共用される周波数帯域のうちの個々の基地局が使用可能な周波数帯域の決定が、特定のノードにより集中的に行われるので、当該特定のノードにとっての負担が大きくなる。例えば、特許文献１に開示されている技術によれば、個々の二次利用ノードが使用可能な周波数帯域の決定（推奨されるチャネルリストの生成）が通信制御装置により集中的に行われるので、当該通信制御装置にとっての負担が大きくなり得る。また、例えば、非特許文献１に開示されている技術によれば、個々のマスタＷＳＤが使用可能な周波数帯域の決定（許可される周波数ブロックのリストの生成）がＴＶＷＳＤＢにより集中的に行われるので、当該ＴＶＷＳＤＢにとっての負担が大きくなり得る。
【０００８】
なお、ＨｅｔＮｅｔ（Heterogeneous  Network）を採用するセルラーシステムでは、マクロセル基地局に加えてスモールセル基地局が配置され得る。この場合に、セルラーシステムと他のシステムとの間で共用される周波数帯域のうちの個々の基地局（即ち、個々のマクロセル基地局基地局及び個々のスモールセル基地局）が使用可能な周波数帯域の決定の負担が、特定のノードにおいて非常に大きくなり得る。
【０００９】
そこで、ＨｅｔＮｅｔを採用するセルラーシステムと他のシステムとの間で周波数帯域が共用される場合に特定のノードへの負担の集中を回避することを可能にすることを可能にする仕組みが提供されることが望ましい。
【課題を解決するための手段】
【００１０】
本開示によれば、セルラーシステムと他のシステムとの間で共用される共用帯域のうちの、上記セルラーシステムのマクロセル基地局が使用可能な周波数帯域に関する帯域関連情報であって、上記セルラーシステムの複数のマクロセル基地局のためのコントローラにより提供される上記帯域関連情報を取得する取得部と、上記マクロセル基地局が使用可能な上記周波数帯域のうちの、上記マクロセル基地局に対応するスモールセル基地局が使用可能な周波数帯域を決定する制御部と、を備える装置が提供される。
【００１１】
また、本開示によれば、セルラーシステムの無線通信と他の無線通信との間で共用される共用帯域のうちの、上記セルラーシステムのマクロセル基地局が使用可能な周波数帯域に関する帯域関連情報であって、上記セルラーシステムの複数のマクロセル基地局のためのコントローラにより提供される上記帯域関連情報を取得する取得部と、上記マクロセル基地局による上記帯域関連情報のマルチキャスト又はブロードキャストを制御する制御部と、を備える装置が提供される。
【００１２】
また、本開示によれば、セルラーシステムの無線通信と他の無線通信との間で共用される共用帯域のうちの、上記セルラーシステムのマクロセル基地局が使用可能な周波数帯域に関する帯域関連情報であって、上記セルラーシステムの複数のマクロセル基地局のためのコントローラにより提供される上記帯域関連情報を取得する取得部と、上記マクロセル基地局が使用可能な上記周波数帯域のうちの、上記マクロセル基地局に対応するスモールセル基地局が使用可能な周波数帯域の見積りを行う見積部と、上記スモールセル基地局が使用可能な上記周波数帯域がある場合に、上記スモールセル基地局による上記共用帯域の使用の許可を要求する要求部と、を備える装置が提供される。
【発明の効果】
【００１３】
以上説明したように本開示によれば、ＨｅｔＮｅｔを採用するセルラーシステムと他のシステムとの間で周波数帯域が共用される場合に特定のノードへの負担の集中を回避することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１４】
【図１】本開示の実施形態に係る通信システムの概略的な構成の一例を示す説明図である。
【図２】コントローラ及び情報処理装置の各々に対応するマクロセル基地局の例を説明するための説明図である。
【図３】第１の実施形態に係る情報処理装置の構成の一例を示すブロック図である。
【図４】スモール帯域の決定の手法の例を説明するための第１の説明図である。
【図５】スモール帯域の決定の手法の例を説明するための第２の説明図である。
【図６】第１の実施形態に係るマクロセル基地局の構成の一例を示すブロック図である。
【図７】第１の実施形態に係るスモールセル基地局の構成の一例を示すブロック図である。
【図８】第１の実施形態に係る第１の処理の概略的な流れの一例を示すシーケンス図である。
【図９】第１の実施形態に係る第２の処理の概略的な流れの一例を示すシーケンス図である。
【図１０】第２の実施形態に係る情報処理装置の構成の一例を示すブロック図である。
【図１１】第２の実施形態に係る処理リソース制御処理の概略的な流れの一例を示すフローチャートである。
【図１２】サーバの概略的な構成の一例を示すブロック図である。
【図１３】ｅＮＢの概略的な構成の第１の例を示すブロック図である。
【図１４】ｅＮＢの概略的な構成の第２の例を示すブロック図である。
【図１５】スマートフォンの概略的な構成の一例を示すブロック図である。
【図１６】カーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて情報処理装置１００Ａ、情報処理装置１００Ｂ及び情報処理装置１００Ｃのように区別する。ただし、実質的に同一の機能構成を有する複数の要素の各々を特に区別する必要がない場合、同一符号のみを付する。例えば、情報処理装置１００Ａ、情報処理装置１００Ｂ及び情報処理装置１００Ｃを特に区別する必要が無い場合には、単に情報処理装置１００と称する。
【００１７】
なお、説明は以下の順序で行うものとする。
１．通信システムの概略的な構成
２．第１の実施形態
２．１．情報処理装置の構成
２．２．マクロセル基地局の構成
２．３．スモールセル基地局の構成
２．４．処理の流れ
２．５．第１の変形例
２．６．第２の変形例
２．７．第３の変形例
２．８．第４の変形例
２．９．第５の変形例
３．第２の実施形態
３．１．情報処理装置の構成
３．２．処理の流れ
４．応用例
４．１．情報処理装置に関する応用例
４．２．マクロセル基地局及びスモールセル基地局に関する応用例
４．３．スモールセル基地局に関する応用例
５．まとめ
【００１８】
＜＜１．通信システムの概略的な構成＞＞
まず、図１及び図２を参照して、本開示の実施形態に係る通信システム１の概略的な構成を説明する。図１は、本開示の実施形態に係る通信システム１の概略的な構成の一例を示す説明図である。図１を参照すると、通信システム１は、周波数管理システム４０、コントローラ５０、ルータ７０、情報処理装置１００、マクロセル基地局２００及びスモールセル基地局３００を含む。
【００１９】
なお、図１には、１つのコントローラ５０に対応する１つのマクロセル基地局２００が示されているが、通信システム１は、実際には、１つのコントローラ５０に対応する複数のマクロセル基地局２００を含む。また、図１には、１つのコントローラ５０に対応する１つの情報処理装置１００が示されているが、通信システム１は、実際には、１つのコントローラ５０に対応する複数の情報処理装置１００を含む。また、１つのマクロセル基地局２００は、１つの情報処理装置１００に対応するが、１つの情報処理装置１００は、１つのマクロセル基地局２００に対応してもよく、２つ以上のマクロセル基地局２００に対応してもよい。
【００２０】
（周波数管理システム４０）
周波数管理システム４０は、セルラーシステムと他のシステムとの間で共用される周波数帯域（以下、「共用帯域」と呼ぶ）を管理する。例えば、周波数管理システム４０は、公的な機関により運用されるシステムである。
【００２１】
例えば、周波数管理システム４０は、上記共用帯域のうちの、上記セルラーシステムにおいて使用可能な周波数帯域を決定する。より具体的には、例えば、周波数管理システム４０は、コントローラ５０からの要求に応じて、上記共用帯域のうちの、上記セルラーシステムにおいて使用可能な上記周波数帯域を決定する。また、例えば、周波数管理システム４０は、上記共用帯域のうちの、個々のマクロセル基地局２００が使用可能な周波数帯域を決定する。例えば、周波数管理システム４０は、決定された上記周波数帯域に関する情報をコントローラ５０に提供する。なお、周波数管理システム４０は、例えば、使用可能な周波数帯域がない場合には、例えば、コントローラ５０からの要求を拒否することをコントローラ５０に通知する。
【００２２】
また、周波数管理システム４０は、上記共用帯域のうちの、上記他のシステムにおいて使用可能な周波数帯域も決定してもよい。
【００２３】
（コントローラ５０）
コントローラ５０は、上記セルラーシステムの複数のマクロセル基地局２００のためのノードである。例えば、コントローラ５０は、上記セルラーシステムのコアネットワークノードである。
【００２４】
例えば、コントローラ５０は、上記複数のマクロセル基地局２００の各々について、上記共用帯域のうちのマクロセル基地局２００が使用可能な周波数帯域に関する情報を取得する。より具体的には、例えば、コントローラ５０は、情報処理装置１００からの要求に応じて、マクロセル基地局２００による上記共用帯域の使用の許可を周波数管理システム４０に要求する。換言すると、コントローラ５０は、情報処理装置１００からの要求に応じて、マクロセル基地局２００による上記共用帯域の使用の許可について周波数管理システム４０と交渉する。すると、上述したように、周波数管理システム４０は、マクロセル基地局２００が使用可能な周波数帯域を決定し、決定された当該周波数帯域に関する情報をコントローラ５０に提供する。そして、コントローラ５０は、提供される当該情報を取得する。
【００２５】
また、例えば、コントローラ５０は、取得する上記情報（即ち、上記共用帯域のうちのマクロセル基地局２００が使用可能な周波数帯域に関する情報）を情報処理装置１００に提供する。なお、取得する上記情報は、情報処理装置１００によりマクロセル基地局２００に提供されてもよく、あるいは、コントローラ５０によりマクロセル基地局２００に直接提供されてもよい。
【００２６】
（情報処理装置１００）
情報処理装置１００は、マクロセル基地局２００のためのノードである。例えば、情報処理装置１００は、上記セルラーシステムのコアネットワークノードである。
【００２７】
−コントローラ５０及び情報処理装置１００の対応範囲
例えば、コントローラ５０は、複数のマクロセル基地局２００に対応し、情報処理装置１００は、上記複数のマクロセル基地局２００のうちの１つ以上のマクロセル基地局２００に対応する。以下、この点について、図２を参照して具体例を説明する。
【００２８】
図２は、コントローラ５０及び情報処理装置１００の各々に対応するマクロセル基地局２００の例を説明するための説明図である。図２を参照すると、コントローラ５０並びに４つの情報処理装置１００Ａ、１００Ｂ、１００Ｃ及び１００Ｄが示されている。例えば、複数のマクロセル基地局２００のグループ１１が、コントローラ５０に対応する。また、情報処理装置１００Ａ、１００Ｂ、１００Ｃ及び１００Ｄには、グループ１１のサブセットであるクラスタ１３Ａ、１３Ｂ、１３Ｃ及び１３Ｄがそれぞれ対応する。
【００２９】
なお、情報処理装置１００に対応するマクロセル基地局２００の数は、固定的に定まっていてもよい。あるいは、情報処理装置１００に対応するマクロセル基地局２００の数は、（例えばコントローラ５０により）動的に変更されてもよい。一例として、情報処理装置１００において処理されるトラフィック量に基づいて変更されてもよい。
【００３０】
コントローラ５０は、自らに対応する複数のマクロセル基地局２００の各々について、上記共用帯域のうちのマクロセル基地局２００が使用可能な周波数帯域に関する情報を取得し、当該情報を提供する。また、情報処理装置１００は、自らに対応するマクロセル基地局２００、及び当該マクロセル基地局２００に対応するスモールセル基地局３００（例えば、当該マクロセル基地局２００のマクロセル２０内に位置するスモールセル基地局３００）について、以下のような動作を行う。
【００３１】
−情報処理装置１００の動作
とりわけ本開示の実施形態では、情報処理装置１００は、上記共用帯域のうちのマクロセル基地局２００が使用可能な周波数帯域に関する帯域関連情報（以下、「マクロ帯域関連情報」と呼ぶ）を取得する。より具体的には、例えば、情報処理装置１００は、マクロセル基地局２００からの要求に応じて、マクロセル基地局２００による上記共用帯域の使用の許可をコントローラ５０に要求する。すると、上述したように、コントローラ５０は、上記共用帯域のうちのマクロセル基地局２００が使用可能な周波数帯域に関する帯域関連情報（即ち、マクロ帯域関連情報）を情報処理装置１００に提供する。そして、情報処理装置１００は、提供される当該帯域関連情報（即ち、マクロ帯域関連情報）を取得する。
【００３２】
また、とりわけ本開示の実施形態では、情報処理装置１００は、マクロセル基地局２００が使用可能な上記周波数帯域のうちの、マクロセル基地局２００に対応するスモールセル基地局３００が使用可能な周波数帯域を決定する。より具体的には、例えば、情報処理装置１００は、スモールセル基地局３００からの要求に応じて、スモールセル基地局３００が使用可能な上記周波数帯域を決定する。
【００３３】
なお、例えば、情報処理装置１００は、スモールセル基地局３００が使用可能な上記周波数帯域に関する別の帯域関連情報（以下、「スモール帯域関連情報」と呼ぶ）をスモールセル基地局３００に提供する。
【００３４】
また、例えば、情報処理装置１００は、マクロセル基地局２００が使用可能な上記周波数帯域に関する帯域関連情報（即ち、マクロ帯域関連情報）をマクロセル基地局２００に提供する。
【００３５】
（マクロセル基地局２００）
マクロセル基地局２００は、上記セルラーシステムの基地局である。例えば、マクロセル基地局２００は、１つの情報処理装置１００に対応し、１つのコントローラに対応する。マクロセル基地局２００に対応する情報処理装置１００は、固定的に定まっていてもよく、あるいは、（例えばコントローラ５０により）動的に変更されてもよい。
【００３６】
マクロセル基地局２００は、マクロセル２０内に位置する端末装置との無線通信を行う。例えば、マクロセル基地局２００は、端末装置へのダウンリンク信号を送信し、端末装置からのアップリンク信号を受信する。
【００３７】
マクロセル基地局２００は、上記セルラーシステム用の周波数帯域（以下、「セルラー帯域」と呼ぶ）を使用して無線通信を行う。また、とりわけ本開示の実施形態では、マクロセル基地局２００は、上記共用帯域のうちのマクロセル基地局２００が使用可能な周波数帯域を使用して無線通信を行う。
【００３８】
例えば、マクロセル基地局２００は、マクロセル基地局２００による上記共用帯域の使用の許可を情報処理装置１００に要求する。すると、上記共用帯域のうちのマクロセル基地局２００が使用可能な周波数帯域に関する帯域関連情報（即ち、マクロ帯域関連情報）が、情報処理装置１００（又はコントローラ５０）によりマクロセル基地局２００に提供される。そして、マクロセル基地局２００は、当該帯域関連情報（即ち、マクロ帯域関連情報）を取得する。
【００３９】
（スモールセル基地局３００）
スモールセル基地局３００は、上記セルラーシステムの基地局である。例えば、スモールセル基地局３００は、１つのマクロセル基地局２００に対応する。具体的には、例えば、当該１つのマクロセル基地局２００は、スモールセル基地局３００が位置するマクロセル２０の基地局である。あるいは、上記１つのマクロセル基地局２００は、マクロセル基地局２００のうちの、スモールセル基地局３００に最も近いマクロセル基地局２００であってもよい。また、例えば、スモールセル基地局３００は、上記１つのマクロセル基地局２００に対応する１つの情報処理装置に対応する。
【００４０】
スモールセル基地局３００は、スモールセル３０内に位置する端末装置との無線通信を行う。例えば、スモールセル基地局３００は、端末装置へのダウンリンク信号を送信し、端末装置からのアップリンク信号を受信する。また、スモールセル基地局３００は、マクロセル基地局２００により送信されるダウンリンク信号を受信し得る。
【００４１】
スモールセル基地局３００は、上記セルラーシステム用の周波数帯域（即ち、セルラー帯域）を使用して無線通信を行う。また、とりわけ本開示の実施形態では、スモールセル基地局３００は、上記共用帯域のうちのマクロセル基地局２００が使用可能な周波数帯域のうちの、スモールセル基地局３００が使用可能な周波数帯域を使用して、無線通信を行う。
【００４２】
例えば、スモールセル基地局３００は、スモールセル基地局３００による上記共用帯域の使用の許可を情報処理装置１００に要求する。すると、上記共用帯域のうちのマクロセル基地局２００が使用可能な上記周波数帯域のうちの、スモールセル基地局３００が使用可能な周波数帯域に関する帯域関連情報（即ち、スモール帯域関連情報）が、情報処理装置１００によりスモールセル基地局３００に提供される。そして、スモールセル基地局３００は、当該帯域関連情報（即ち、スモール帯域関連情報）を取得する。
【００４３】
なお、スモールセル基地局３００の送信電力は、マクロセル基地局２００の送信電力よりも小さい。そのため、スモールセル基地局３００のスモールセル３０は、マクロセル基地局２００のマクロセル２０よりも小さい。
【００４４】
また、スモールセル基地局３００は、基地局として動作可能であり且つ移動可能な装置であってもよい。一例として、スモールセル基地局３００は、モバイルルータであってもよい。この場合に、情報処理装置１００は、マクロセル基地局２００を介して、スモールセル基地局３００（基地局として動作可能であり且つ移動可能な装置）と通信してもよい。
【００４５】
（ルータ７０）
ルータ７０は、情報を転送する。例えば、ルータ７０は、コアネットワークからの情報をマクロセル基地局２００又はスモールセル基地局３００へ転送する。また、ルータ７０は、マクロセル基地局２００又はスモールセル基地局３００からのデータをコアネットワークへ転送する。ルータ７０は、情報処理装置１００による制御に基づいて、情報を転送してもよい。また、ルータ７０は、コントローラ５０による制御に基づいて、情報を転送してもよい。
【００４６】
なお、ルータ７０は、モバイルルータであってもよい。また、ルータ７０は、コアネットワークのＳ−ＧＷ（Serving  Gateway）と呼ばれる装置に実装されていてもよい。
【００４７】
＜＜２．第１の実施形態＞＞
続いて、図３〜図９を参照して、本開示の第１の実施形態を説明する。
【００４８】
＜２．１．情報処理装置の構成＞
まず、図３〜図５を参照して、第１の実施形態に係る情報処理装置１００の構成の一例を説明する。図３は、第１の実施形態に係る情報処理装置１００の構成の一例を示すブロック図である。図３を参照すると、情報処理装置１００は、通信部１１０、記憶部１２０及び処理部１３０を備える。
【００４９】
（通信部１１０）
通信部１１０は、他のノードと通信する。例えば、通信部１１０は、マクロセル基地局２００及びスモールセル基地局３００と通信する。また、例えば、通信部１１０は、コントローラ５０と通信する。
【００５０】
（記憶部１２０）
記憶部１２０は、情報処理装置１００の動作のためのプログラム及びデータを一時的にまたは恒久的に記憶する。
【００５１】
（処理部１３０）
処理部１３０は、情報処理装置１００の様々な機能を提供する。処理部１３０は、要求部１３１、情報取得部１３３及び通信制御部１３５を含む。なお、処理部１３０は、これらの構成要素以外の他の構成要素をさらに含み得る。即ち、処理部１３０は、これらの構成要素の動作以外の動作も行い得る。
【００５２】
（要求部１３１）
要求部１３１は、マクロセル基地局２００による上記共用帯域（即ち、上記セルラーシステムと他のシステムとの間で共用される周波数帯域）の使用の許可をコントローラ５０に要求する。
【００５３】
（ａ）要求のトリガ
例えば、要求部１３１は、マクロセル基地局２００からの要求に応じて、当該マクロセル基地局２００による上記共用帯域の使用の許可をコントローラ５０に要求する。
【００５４】
（ｂ）具体的な処理
例えば、要求部１３１は、通信部１１０を介して、マクロセル基地局２００による上記共用帯域の使用の許可を要求する使用許可要求メッセージを、コントローラ５０を介して送信する。
【００５５】
（ｃ）情報の提供
（ｃ−１）位置情報の提供
例えば、要求部１３１は、マクロセル基地局２００の位置を示す位置情報をコントローラ５０に提供する。
【００５６】
−位置情報の取得
例えば、マクロセル基地局２００は、情報処理装置１００への要求の際に、上記位置情報を情報処理装置１００に提供し、要求部１３１は、当該位置情報を取得する。
【００５７】
なお、上記位置情報は、要求のたびにマクロセル基地局２００により情報処理装置１００に提供されなくてもよい。一例として、上記位置情報は、定期的に、又はいずれかのイベントの発生に応じて、マクロセル基地局２００により情報処理装置１００に提供されてもよい。別の例として、上記位置情報は、いずれかの他のノードにより情報処理装置１００に提供されてもよい。さらに別の例として、上記位置情報は、記憶部１２０に予め記憶されてもよい。
【００５８】
−提供のタイミング
例えば、要求部１３１は、マクロセル基地局２００による上記共用帯域の使用の許可をコントローラ５０に要求する際に、上記位置情報をコントローラ５０に提供する。より具体的には、例えば、要求部１３１は、上記位置情報を含む使用許可要求メッセージを、コントローラ５０を介して送信する。
【００５９】
例えば以上のように、マクロセル基地局２００の位置を示す位置情報をコントローラ５０に提供する。これにより、例えば、個々のマクロセル基地局２００が使用可能な周波数帯域を決定することが可能になる。
【００６０】
（ｃ−２）その他の情報の提供
要求部１３１は、その他の情報をコントローラ５０に提供し得る。
【００６１】
（情報取得部１３３）
（ａ）マクロ帯域関連情報の取得
情報取得部１３３は、上記共用帯域のうちのマクロセル基地局２００が使用可能な周波数帯域（以下、「マクロ帯域」と呼ぶ）に関する帯域関連情報（即ち、マクロ帯域関連情報）を取得する。当該マクロ帯域関連情報は、コントローラ５０により提供される。
【００６２】
（ａ−１）具体的な処理
例えば、上述したように、要求部１３１は、マクロセル基地局２００による上記共用帯域の使用の許可をコントローラ５０に要求する。すると、コントローラ５０は、マクロセル基地局２００による上記共用帯域の使用の許可を周波数管理システム４０に要求する。そして、周波数管理システム４０は、上記共用帯域のうちのマクロセル基地局２００が使用可能な周波数帯域（即ち、マクロ帯域）を決定する。その後、当該マクロ帯域を示すマクロ帯域関連情報が、周波数管理システム４０によりコントローラ５０に提供され、コントローラ５０により情報処理装置１００に提供され、記憶部１２０に記憶される。その後のいずれかのタイミングで、情報取得部１３３は、記憶部１２０から、上記マクロ帯域関連情報を取得する。
【００６３】
例えばこのように、上記帯域関連情報は、マクロセル基地局２００による上記共用帯域の使用の許可の要求に応じてコントローラに５０より提供される情報である。
【００６４】
（ａ−２）マクロ帯域
例えば、上記マクロ帯域は、マクロセル基地局２００の位置に基づいて決定される帯域である。
【００６５】
具体的には、例えば、上述したように、要求部１３１は、マクロセル基地局２００による上記共用帯域の使用の許可をコントローラ５０に要求する際に、マクロセル基地局２００の位置を示す位置情報をコントローラ５０に提供する。また、コントローラ５０は、マクロセル基地局２００による上記共用帯域の使用の許可を周波数管理システム４０に要求する際に、マクロセル基地局２００の位置を示す位置情報を周波数管理システム４０に提供する。そして、周波数管理システム４０は、マクロセル基地局２００の位置に基づいて、上記共用帯域のうちのマクロセル基地局２００が使用可能な周波数帯域（即ち、マクロ帯域）を決定する。このように、上記マクロ帯域は、マクロセル基地局２００の位置に基づいて決定される帯域である。
【００６６】
なお、例えば、上記マクロ帯域は、１つ以上の個別の帯域を含む。即ち、上記マクロ帯域は、１つの帯域であってもよく、あるいは、２つ以上の個別の帯域を含んでもよい。
【００６７】
（ａ−３）マクロ帯域関連情報
−マクロ帯域
例えば、上記マクロ帯域関連情報は、上記マクロ帯域（即ち、上記共用帯域のうちのマクロセル基地局２００が使用可能な周波数帯域）を示す情報を含む。
【００６８】
−最大送信電力
例えば、上記マクロ帯域関連情報は、上記マクロ帯域をマクロセル基地局２００が使用する際の最大送信電力を示す情報を含む。これにより、例えば、上記マクロ帯域を使用して信号が送信されてもよい領域を特定することが可能になる。
【００６９】
なお、上述したように、上記マクロ帯域は、２つ以上の個別の帯域を含んでもよい。この場合に、上記マクロ帯域関連情報は、個別の帯域ごとの最大送信電力を示す情報を含んでもよい。
【００７０】
−使用可能期間
上記帯域関連情報は、上記マクロ帯域の使用可能期間を示す情報を含む。これにより、例えば、使用可能期間外での上記マクロ帯域の使用を回避することが可能になる。
【００７１】
なお、上述したように、上記マクロ帯域は、２つ以上の個別の帯域を含んでもよい。この場合に、上記マクロ帯域関連情報は、個別の帯域ごとの使用可能時間を示す情報を含んでもよい。
【００７２】
（ａ−４）マクロ帯域関連情報が取得されるケース
例えば、情報取得部１３３は、マクロセル基地局２００による上記共用帯域の使用が許可される場合に、上記マクロ帯域関連情報を取得する。
【００７３】
具体的には、例えば、周波数管理システム４０が上記共用帯域のうちのいずれかの帯域を含むマクロ帯域を決定する場合に、上記マクロ帯域関連情報が、周波数管理システム４０によりコントローラ５０に提供される。そして、上記マクロ帯域関連情報は、コントローラ５０により情報処理装置１００に提供され、情報取得部１３３は、上記マクロ帯域関連情報を取得する。
【００７４】
一方、例えば、情報取得部１３３は、マクロセル基地局２００による上記共用帯域の使用が許可されない場合には、上記マクロ帯域関連情報を取得しない。
【００７５】
具体的には、例えば、上記共用帯域の中にマクロセル基地局２００が使用可能な帯域がない場合に、周波数管理システム４０は上記マクロ帯域を決定せず、上記マクロ帯域関連情報をコントローラ５０に提供しない。そのため、情報取得部１３３は、上記マクロ帯域関連情報を取得しない。
【００７６】
以上のように、情報取得部１３３は、上記マクロ帯域関連情報を取得する。なお、情報処理装置１００は、２つ以上のマクロセル基地局２００に対応し得る。そのため、情報取得部１３３は、２つ以上のマクロセル基地局２００の各々について、上記共用帯域のうちのマクロセル基地局が使用可能な周波数帯域に関する帯域関連情報であって、コントローラ５０により提供される上記帯域関連情報（即ち、マクロ帯域関連情報）を取得し得る。
【００７７】
（ｂ）禁止期間情報の取得
例えば、情報取得部１３３は、マクロセル基地局２００による上記共用帯域の使用の許可の要求が禁止される期間を示す禁止期間情報を取得する。当該禁止期間情報は、コントローラ５０により提供される。
【００７８】
例えば、情報取得部１３３は、マクロセル基地局２００による上記共用帯域の使用が許可されない場合に、上記禁止期間情報を取得する。
【００７９】
具体的には、例えば、上記共用帯域の中にマクロセル基地局２００が使用可能な帯域がない場合に、周波数管理システム４０は、上記マクロ帯域を決定しない。この場合に、周波数管理システム４０は、上記禁止期間情報をコントローラ５０に提供し、コントローラ５０は、当該禁止期間情報を情報処理装置１００に提供する。そして、情報取得部１３３は、上記禁止期間情報を取得する。
【００８０】
これにより、例えば、上記共用帯域が使用できない場合に、上記共用帯域の使用の許可を要求することを抑えることが可能になる。その結果、周波数管理システム４０及びコントローラ５０にとっての負担が軽減され得る。
【００８１】
（ｃ）位置情報の取得
−スモールセル基地局３００の位置情報
例えば、情報取得部１３３は、スモールセル基地局３００の位置を示す位置情報を取得する。
【００８２】
例えば、スモールセル基地局３００は、スモールセル基地局３００による上記共用帯域の使用の許可を情報処理装置１００に要求する。スモールセル基地局３００は、当該使用の許可の要求の際に、スモールセル基地局３００の位置を示す位置情報を情報処理装置１００に提供する。そして、当該位置情報は、記憶部１２０に記憶される。その後のいずれかのタイミングで、情報取得部１３３は、当該位置情報を取得する。
【００８３】
なお、上述したように、上記位置情報は、要求のたびにスモールセル基地局３００により情報処理装置１００に提供されなくてもよい。一例として、上記位置情報は、定期的に、又はいずれかのイベントの発生に応じて、スモールセル基地局３００により情報処理装置１００に提供されてもよい。別の例として、上記位置情報は、いずれかの他のノードにより情報処理装置１００に提供されてもよい。さらに別の例として、上記位置情報は、記憶部１２０に予め記憶されてもよい。
【００８４】
−マクロセル基地局２００の位置情報
例えば、情報取得部１３３は、マクロセル基地局２００の位置を示す位置情報を取得する。
【００８５】
例えば、上述したように、マクロセル基地局２００は、マクロセル基地局２００による上記共用帯域の使用の許可を情報処理装置１００に要求する際に、マクロセル基地局２００の位置を示す位置情報を情報処理装置１００に提供する。そして、当該位置情報は、記憶部１２０に記憶される。その後のいずれかのタイミングで、情報取得部１３３は、当該位置情報を取得する。
【００８６】
なお、上述したように、上記位置情報は、要求のたびにマクロセル基地局２００により情報処理装置１００に提供されなくてもよい。一例として、上記位置情報は、定期的に、又はいずれかのイベントの発生に応じて、マクロセル基地局２００により情報処理装置１００に提供されてもよい。別の例として、上記位置情報は、いずれかの他のノードにより情報処理装置１００に提供されてもよい。さらに別の例として、上記位置情報は、記憶部１２０に予め記憶されてもよい。
【００８７】
（通信制御部１３５）
（ａ）スモール帯域の決定
通信制御部１３５は、上記共用帯域のうちのマクロセル基地局２００が使用可能な周波数帯域（即ち、マクロ帯域）のうちの、当該マクロセル基地局２００に対応するスモールセル基地局３００が使用可能な周波数帯域（以下、「スモール帯域」と呼ぶ）を決定する。
【００８８】
（ａ−１）決定のトリガ
例えば、通信制御部１３５は、スモールセル基地局３００からの要求に応じて、上記スモール帯域を決定する。
【００８９】
例えば、スモールセル基地局３００は、スモールセル基地局３００による上記共用帯域の使用の許可を情報処理装置１００に要求する。通信制御部１３５は、この要求に応じて、スモールセル基地局３００に対応するマクロセル基地局２００のマクロ帯域のうちの、スモールセル基地局３００が使用可能な周波数帯域（即ち、スモール帯域）を決定する。
【００９０】
これにより、例えば、スモールセル基地局３００が必要に応じて上記共用帯域を使用することが可能になる。
【００９１】
（ａ−２）決定の手法
−位置に基づく決定
例えば、通信制御部１３５は、スモールセル基地局３００の位置に基づいて、上記スモール帯域を決定する。スモールセル基地局３００の当該位置は、情報取得部１３３により取得されるスモールセル基地局３００の位置情報により示される。
【００９２】
また、例えば、通信制御部１３５は、マクロセル基地局２００の位置に基づいて、上記スモール帯域を決定する。マクロセル基地局２００の当該位置は、情報取得部１３３により取得されるマクロセル基地局２００の位置情報により示される。
【００９３】
−マクロセル基地局の最大送信電力に基づく決定
例えば、通信制御部１３５は、マクロセル基地局２００が上記マクロ帯域を使用する際の最大送信電力に基づいて、上記スモール帯域を決定する。上記最大送信電力は、情報取得部１３３により取得されるマクロ帯域関連情報により示される。
【００９４】
−具体的な手法
−−第１の例
第１の例として、通信制御部１３５は、上記マクロ帯域に含まれる１つ以上の個別の帯域の各々について以下のような処理を行う。通信制御部１３５は、マクロセル基地局２００の位置とスモールセル基地局３００の位置とから、マクロセル基地局２００とスモールセル基地局３００との間の距離を算出し、当該距離から伝搬損失（マイナス値）を算出する。そして、通信制御部１３５は、マクロセル基地局２００が個別の帯域を使用する際の最大送信電力に上記伝搬損失を加算する。さらに、通信制御部１３５は、加算の結果（即ち、加算により得られる値）が所定の閾値（例えば、−６０ｄＢｍ）を上回るかを判定する。そして、通信制御部１３５は、上記加算の結果が上記所定の閾値を上回る場合に、上記個別の帯域を、スモールセル基地局３００が使用可能な周波数帯域（即ち、スモール帯域）に含めてもよい。一方、通信制御部１３５は、上記加算結果が上記所定の閾値以下である場合に、上記個別の帯域を、スモールセル基地局３００が使用可能な周波数帯域に含めない。上記マクロ帯域に含まれる１つ以上の個別の帯域の各々について以上のような処理が行われ、個別の帯域が上記スモール帯域に含められ、最終的に、上記スモール帯域が決定される。
【００９５】
即ち、上記個別の帯域を使用する他のシステムへの干渉の抑制又は回避が可能であり、且つ、上記個別の帯域について上記所定の閾値を上回る最大送信電力の確保が可能な場合に、上記個別の帯域が、スモールセル基地局３００が使用可能な周波数帯域（即ち、スモール帯域）に含められる。ここで、最大送信電力は、通信エリア（即ち、セル）の大きさに対応する。そのため、換言すると、スモールセル基地局３００が上記個別の帯域を使用する際のスモールセル基地局３００の通信エリアが、マクロセル基地局２００が上記個別の帯域を使用する際のマクロセル基地局２００の通信エリアに包含され、且つ所定の大きさを上回る場合に、上記個別の帯域が、スモールセル基地局３００が使用可能な周波数帯域（即ち、スモール帯域）に含められる。以下、この点について、図４を参照して具体例を説明する。
【００９６】
図４は、スモール帯域の決定の手法の例を説明するための第１の説明図である。図４を参照すると、マクロセル基地局２００及びスモールセル基地局３００が示されている。また、マクロ帯域に含まれる個別の帯域をマクロセル基地局２００が使用する際のマクロセル基地局２００の通信エリア２１が示されている。通信エリア２１は、マクロセル基地局２００が個別の帯域を使用する際の最大送信電力に対応する。また、マクロ帯域に含まれる個別の帯域をスモールセル基地局３００が使用する際のスモールセル基地局３００の通信エリア３１が示されている。通信エリア３１は、スモールセル基地局３００が個別の帯域を使用する際の最大送信電力に対応する。当該最大送信電力は、マクロセル基地局２００が個別の帯域を使用する際の最大送信電力と、マクロセル基地局２００からスモールセル基地局３００へのパスでの伝搬損失との加算の結果である。通信エリア３１の大きさが所定の大きさを上回る場合に、上記個別の帯域は、スモールセル基地局３００が使用可能な周波数帯域（即ち、スモール帯域）に含められる。即ち、上記加算の結果が所定の閾値を上回る場合に、上記個別の帯域は、スモールセル基地局３００が使用可能な帯域（即ち、スモール帯域）に含められる。
【００９７】
−−第２の例
第１の例として、ダウンリンクのみを考慮する手法を説明したが、第２の例として、ダウンリンクのみではなくアップリンクも考慮する手法が採用されてもよい。より具体的には、例えば、上記マクロ帯域に含まれる個別の帯域を使用してスモールセル基地局３００により送信されるダウンリンク信号が到達するエリア（例えば、図４の通信エリア３１）は、スモールセル基地局３００と通信する端末装置により送信されるアップリンク信号が到達し得るエリアよりも小さい。そのため、上記アップリンク信号が到達するエリアが、マクロセル基地局２００が上記個別の帯域を使用する際のマクロセル基地局２００の通信エリアに包含される場合に限り、上記個別の帯域が、スモールセル基地局３００が使用可能な周波数帯域に含められてもよい。以下、この点について、図５を参照して具体例を説明する。
【００９８】
図５は、スモール帯域の決定の手法の例を説明するための第２の説明図である。図５を参照すると、マクロセル基地局２００及びスモールセル基地局３００が示されている。また、マクロ帯域に含まれる個別の帯域をマクロセル基地局２００が使用する際のマクロセル基地局２００の通信エリア２１が示されている。通信エリア２１は、マクロセル基地局２００が個別の帯域を使用する際の最大送信電力に対応する。また、マクロ帯域に含まれる個別の帯域をスモールセル基地局３００が使用する際のスモールセル基地局３００の通信エリア３１と、通信エリア３１内の端末装置により送信されるスモールセル基地局３００へのアップリンク信号が到達し得るエリア３３とが、示されている。通信エリア３３は、マクロセル基地局２００が個別の帯域を使用する際の最大送信電力と、マクロセル基地局２００からスモールセル基地局３００へのパスでの伝搬損失との加算の結果に対応する。そして、通信エリア３１は、例えば、通信エリア３３の大きさの所定の割合（例えば、５０パーセント）の大きさを有するエリアである。通信エリア３１の大きさが所定の大きさを上回る場合に、上記個別の帯域は、スモールセル基地局３００が使用可能な周波数帯域（即ち、スモール帯域）に含められる。即ち、上記加算の結果が、第１の例の閾値よりも大きい閾値を上回る場合に、上記個別の帯域は、スモールセル基地局３００が使用可能な周波数帯域（即ち、スモール帯域）に含められる。
【００９９】
−−第３の例
第３の例として、上記マクロ帯域関連情報は、マクロセル基地局２００が個別の帯域を使用する際の最大送信電力を示す情報のみではなく、マクロセル２０内の複数の位置において通信ノードが上記個別の帯域を使用する際の最大送信電力を示す情報を含んでもよい。上記複数の位置は、グリッド状又は放射状にプロットされてもよい。そして、上記複数の位置のうちの、スモールセル基地局３００に最も近い位置が選択されてもよい。その後、選択された当該位置とスモールセル基地局３００の位置とから、伝搬損失が算出され、選択された上記位置において通信ノードが上記個別の帯域を使用する際の最大送信電力と上記伝搬損失とが加算されてもよい。そして、加算の結果が所定の閾値を上回る場合に、上記個別の帯域は、スモールセル基地局３００が使用可能な周波数帯域（即ち、スモール帯域）に含められてもよい。
【０１００】
−−第４の例
第４の例として、上述した第１〜第３の例のような手法において、さらに、スモールセル基地局３００と他の基地局（マクロセル基地局２００及び／又は他のスモールセル基地局３００）との間での干渉が発生しないように、上記マクロ帯域のうちのスモールセル基地局３００が使用可能な周波数帯域（即ち、上記スモール帯域）が決定されてもよい。例えば、２つ以上のスモールセル基地局３００が互いに近傍に位置する場合に、当該２つ以上のスモールセル基地局３００のうちの一部のスモールセル基地局３００について、個別の帯域が、スモールセル基地局３００が使用可能な周波数帯域（即ち、スモール帯域）に含められてもよい。
【０１０１】
なお、上記スモール帯域の決定の際には、スモールセル基地局３００と他の基地局との間での干渉が考慮されず、その後、当該干渉の制御が動的に行われてもよい。
【０１０２】
（ａ−３）決定されるスモール帯域
決定される上記スモール帯域は、連続する周波数帯域であってもよく、不連続な周波数帯域であってもよい。具体的には、例えば、上記スモール帯域は、連続する２つ以上の個別の帯域を含んでもよく、不連続な２つ以上の個別の帯域を含んでもよい。あるいは、上記スモール帯域は、１つの個別の帯域であってもよい。
【０１０３】
以上のように、通信制御部１３５は、上記スモール帯域を決定する。なお、情報処理装置１００は、２つ以上のマクロセル基地局２００に対応し得る。そのため、通信制御部１３５は、２つ以上のマクロセル基地局２００の各々について、マクロセル基地局２００に対応するスモールセル基地局３００が使用可能な周波数帯域（即ち、スモール帯域）を決定し得る。
【０１０４】
（ｂ）最大送信電力の決定
例えば、通信制御部１３５は、スモールセル基地局３００が使用可能な上記周波数帯域（即ち、スモール帯域）をスモールセル基地局３００が使用する際の最大送信電力を決定する。
【０１０５】
−位置に基づく決定
例えば、通信制御部１３５は、スモールセル基地局３００の位置に基づいて、上記最大送信電力を決定する。スモールセル基地局３００の当該位置は、情報取得部１３３により取得されるスモールセル基地局３００の位置情報により示される。
【０１０６】
また、例えば、通信制御部１３５は、マクロセル基地局２００の位置に基づいて、上記最大送信電力を決定する。マクロセル基地局２００の当該位置は、情報取得部１３３により取得されるマクロセル基地局２００の位置情報により示される。
【０１０７】
−マクロセル基地局の最大送信電力に基づく決定
例えば、通信制御部１３５は、マクロセル基地局２００が上記マクロ帯域を使用する際の最大送信電力に基づいて、上記スモール帯域をスモールセル基地局３００が使用する際の最大送信電力を決定する。マクロセル基地局２００が上記マクロ帯域を使用する際の上記最大送信電力は、情報取得部１３３により取得されるマクロ帯域関連情報により示される。
【０１０８】
−具体的な手法
第１の例として、上述したように、通信制御部１３５は、マクロセル基地局２００が個別の帯域を使用する際の最大送信電力に上記伝搬損失を加算する。そして、通信制御部１３５は、加算の結果を、上記個別の帯域をスモールセル基地局３００が使用する際の最大送信電力を決定する。その結果、例えば、スモールセル基地局３００が上記個別の帯域を使用する際のスモールセル基地局３００の通信エリアは、図４に示される通信エリア３１のようになる。
【０１０９】
第２の例として、上述したように、通信制御部１３５は、マクロセル基地局２００が個別の帯域を使用する際の最大送信電力に上記伝搬損失を加算する。そして、通信制御部１３５は、加算の結果よりも小さい値を、上記スモール帯域をスモールセル基地局３００が使用する際の最大送信電力を決定する。その結果、例えば、スモールセル基地局３００が上記個別の帯域を使用する際のスモールセル基地局３００の通信エリアは、図５に示される通信エリア３１のようになる。
【０１１０】
第３の例として、上述した第１の例及び第２の例のような手法において、スモールセル基地局３００と他の基地局（マクロセル基地局２００及び／又は他のスモールセル基地局３００）との間での干渉が発生しないように、上記最大送信電力が決定されてもよい。例えば、２つ以上のスモールセル基地局３００が互いに近傍に位置する場合に、当該２つ以上のスモールセル基地局３００の通信エリアが重ならないように、当該２つ以上のスモールセル基地局３００が上記スモール帯域を使用する際の最大送信電力が決定されてもよい。
【０１１１】
以上のように、通信制御部１３５は、上記スモール帯域をスモールセル基地局３００が使用する際の最大送信電力を決定する。これにより、例えば、最大送信電力を柔軟に調整することが可能になる。そのため、スモールセル基地局３００が上記周波数帯域を使用できる可能性をより高くすることが可能になる。また、干渉が回避され、又は抑制され得る。
【０１１２】
なお、上記最大送信電力を決定することは、スモールセル基地局３００が上記スモール帯域を使用する際のスモールセル基地局３００の通信エリアを決定することも意味する。
【０１１３】
（ｃ）使用可能期間の決定
例えば、通信制御部１３５は、スモールセル基地局３００にとっての上記スモール帯域の使用可能時間を決定する。
【０１１４】
具体的には、例えば、通信制御部１３５は、マクロセル基地局２００にとっての上記スモール帯域の第１の使用可能時間と、スモールセル基地局３００にとっての上記スモール帯域の第２の使用可能時間とが重ならないように、上記第１の使用可能時間と上記第２の使用可能時間を決定する。これにより、例えば、マクロセル基地局２００とスモールセル基地局３００との間での干渉を回避し、又は抑制することが可能になる。また、通信制御部１３５は、例えば、２つ以上のスモールセル基地局３００が互いに近傍に位置する場合に、当該２つ以上のスモールセル基地局３００の上記スモール帯域の使用可能時間が重ならないように、各スモールセル基地局３００の上記スモール帯域の使用可能時間を決定してもよい。これにより、スモールセル基地局３００間での干渉を回避し、又は抑制することが可能になる。
【０１１５】
なお、マクロセル基地局２００は、上記スモール帯域を使用しないようにしてもよい。この場合に、スモールセル基地局３００にとっての上記スモール帯域の上記使用可能時間は、上記マクロ帯域の使用可能時間と同じであってもよい。
【０１１６】
（ｄ）スモール帯域関連情報の提供
例えば、通信制御部１３５は、上記スモール帯域（即ち、上記マクロ帯域のうちの、スモールセル基地局３００が使用可能な周波数帯域）に関する帯域関連情報（以下、「スモール帯域関連情報」と呼ぶ）をスモールセル基地局３００に提供する。
【０１１７】
（ｄ−１）スモール帯域関連情報
−スモール帯域
例えば、上記スモール帯域関連情報は、上記スモール帯域を示す情報を含む。
【０１１８】
−最大送信電力
例えば、上記スモール帯域関連情報は、上記スモール帯域をスモールセル基地局３００が使用する際の最大送信電力を示す情報を含む。
【０１１９】
なお、上述したように、上記スモール帯域は、２つ以上の個別の帯域を含んでもよい。この場合に、上記スモール帯域関連情報は、個別の帯域ごとの最大送信電力を示す情報を含んでもよい。
【０１２０】
−使用可能期間
例えば、上記スモール帯域関連情報は、スモールセル基地局３００にとっての上記スモール帯域の使用可能時間を示す情報を含む。
【０１２１】
なお、上述したように、上記スモール帯域は、２つ以上の個別の帯域を含んでもよい。この場合に、上記スモール帯域関連情報は、個別の帯域ごとの使用可能時間を示す情報を含んでもよい。
【０１２２】
−使用可能エリア
例えば、上記スモール帯域関連情報は、上記スモール帯域の使用可能エリアを示す情報を含んでもよい。これにより、例えば、スモールセル基地局３００が移動可能である（例えば、スモールセル基地局３００がモバイルルータである）場合に、スモールセル基地局３００に起因する干渉の回避又は抑制が可能になる。
【０１２３】
（ｄ−２）提供のトリガ
例えば、上述したように、通信制御部１３５は、上記スモール帯域、スモールセル基地局３００が上記スモール帯域を使用する際の上記最大送信電力、及びスモールセル基地局３００にとっての上記スモール帯域の使用可能時間を決定する。すると、通信制御部１３５は、上記スモール帯域関連情報をスモールセル基地局３００に提供する。
【０１２４】
以上のように、スモール帯域関連情報がスモールセル基地局３００に提供される。これにより、例えば、スモールセル基地局３００が上記スモール帯域を使用することが可能になる。
【０１２５】
（ｅ）マクロ帯域関連情報の提供
例えば、通信制御部１３５は、上記マクロ帯域関連情報をマクロセル基地局２００に提供する。
【０１２６】
具体的には、例えば、コントローラ５０が、上記マクロ帯域関連情報を情報処理装置１００に提供し、当該マクロ帯域関連情報は、記憶部１２０に記憶される。その後、情報取得部１３３は、当該マクロ帯域関連情報を取得し、通信制御部１３５は、当該マクロ帯域関連情報をマクロセル基地局２００に提供する。
【０１２７】
なお、通信制御部１３５は、上記マクロ帯域関連情報のマルチキャスト又はブロードキャストをマクロセル基地局２００に指示してもよい。
【０１２８】
（ｆ）その他
例えば、上述したように、通信制御部１３５は、上記スモール帯域を決定する。この場合に、通信制御部１３５は、マクロセル基地局２００が上記マクロ帯域のうちの上記スモール帯域を使用する条件（以下、「スモール帯域使用条件」と呼ぶ）を決定する。そして、通信制御部１３５は、当該スモール帯域使用条件を示す情報（以下、「スモール帯域使用条件情報」と呼ぶ）を基地局２００に提供してもよい。
【０１２９】
例えば、上記スモール帯域使用条件は、上述した、マクロセル基地局２００にとっての上記スモール帯域の上記第１の使用可能時間を含む。これにより、例えば、マクロセル基地局２００とスモールセル基地局３００との間での干渉を回避し、又は抑制することが可能になる。
【０１３０】
なお、上記スモール帯域使用条件は、マクロセル基地局２００が上記スモール帯域を使用する際の最大送信電力を含んでもよい。また、通信制御部１３５は、マクロセル基地局２００とスモールセル基地局３００との間での干渉が回避され、又は抑制されるように、上記最大送信電力を決定してもよい。
【０１３１】
以上、第１の実施形態に係る情報処理装置１００の構成を説明した。上述したように、情報処理装置１００は、上記マクロ帯域（即ち、上記共用帯域のうちの、マクロセル基地局２００が使用可能な周波数帯域）のうちの、スモールセル基地局３００が使用可能な周波数帯域（即ち、スモール帯域）を決定する。これにより、例えば、ＨｅｔＮｅｔを採用するセルラーシステムと他のシステムとの間で周波数帯域が共用される場合に特定のノードへの負担の集中を回避することが可能になる。より具体的には、例えば、周波数管理システム４０は、上記マクロ帯域を決定するが、上記スモール帯域を決定しなくてもよいので、周波数管理システム４０（及びコントローラ５０）への負担の集中が回避される。
【０１３２】
＜２．２．マクロセル基地局の構成＞
次に、図６を参照して、第１の実施形態に係るマクロセル基地局２００の構成の一例を説明する。図６は、第１の実施形態に係るマクロセル基地局２００の構成の一例を示すブロック図である。図６を参照すると、マクロセル基地局２００は、アンテナ部２１０、無線通信部２２０、ネットワーク通信部２３０、記憶部２４０及び処理部２５０を含む。
【０１３３】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１３４】
（無線通信部２２０）
無線通信部２２０は、信号を送受信する。例えば、無線通信部２２０は、マクロセル２０内に位置する端末装置へのダウンリンク信号を送信し、マクロセル２０内に位置する端末装置からのアップリンク信号を受信する。
【０１３５】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、情報処理装置１００及び他のコアネットワークノードを含む。また、例えば、上記他のノードは、スモールセル基地局３００及び他のマクロセル基地局２００を含む。
【０１３６】
（記憶部２４０）
記憶部２４０は、マクロセル基地局２００の動作のためのプログラム及びデータを一時的にまたは恒久的に記憶する。
【０１３７】
（処理部２５０）
処理部２５０は、マクロセル基地局２００の様々な機能を提供する。処理部２５０は、情報取得部２５１及び通信制御部２５３を含む。なお、処理部２５０は、これらの構成要素以外の他の構成要素をさらに含み得る。即ち、処理部２５０は、これらの構成要素の動作以外の動作も行い得る。
【０１３８】
（情報取得部２５１）
（ａ）マクロ帯域関連情報の取得
情報取得部２５１は、上記マクロ帯域関連情報を取得する。
【０１３９】
例えば、マクロセル基地局２００が、マクロセル基地局２００による上記共用帯域の使用の許可を情報処理装置１００に要求する。すると、情報処理装置１００は、上記マクロ帯域関連情報をマクロセル基地局２００に提要する。そして、情報取得部２５１は、上記マクロ帯域関連情報を取得する。
【０１４０】
（ｂ）スモール帯域使用条件情報の取得
例えば、情報取得部２５１は、上記スモール帯域使用条件情報を取得する。
【０１４１】
例えば、情報処理装置１００は、上記スモール帯域を決定すると、上記スモール帯域使用条件情報をマクロセル基地局２００に提供する。そして、情報取得部２５１は、上記スモール帯域使用条件情報を取得する。
【０１４２】
（通信制御部２５３）
（ａ）マクロ帯域関連情報のマルチキャスト／ブロードキャスト
通信制御部２５３は、マクロセル基地局２００による上記マクロ帯域関連情報のマルチキャスト又はブロードキャストを制御する。
【０１４３】
（ａ―１）制御のトリガ
例えば、情報取得部２５１が、上記マクロ帯域関連情報を取得すると、通信制御部２５３は、マクロセル基地局２００が上記マクロ帯域関連情報のマルチキャスト又はブロードキャストを行うように、当該マルチキャスト又は当該ブロードキャストを制御する。
【０１４４】
なお、マクロセル基地局２００は、上記マクロ帯域関連情報が更新された場合に限り、上記マクロ帯域関連情報のマルチキャスト又はブロードキャストを行ってもよい。あるいは、マクロセル基地局２００は、定期的に、上記マクロ帯域関連情報のマルチキャスト又はブロードキャストを行ってもよい。
【０１４５】
（ａ―２）使用される周波数帯域
例えば、マクロセル基地局２００は、セルラー帯域を使用して、上記マルチキャスト又は上記ブロードキャストを行う。
【０１４６】
（ａ―３）具体的な処理
具体的な処理として、例えば、通信制御部２５３は、上記マクロ帯域関連情報を含むマルチキャスト情報又はブロードキャスト情報（例えば、システム情報）を生成し、当該マルチキャスト情報又は当該ブロードキャスト情報にセルラー帯域の無線リソースを割り当てる。
【０１４７】
（ａ―４）送信電力の調整
例えば、通信制御部２５３は、上記マクロ帯域（即ち、上記共用帯域のうちの、マクロセル基地局２００が使用可能な周波数帯域）をマクロセル基地局２００が使用する際の最大送信電力に応じた送信電力で上記マルチキャスト又は上記ブロードキャストが行われるように、上記マルチキャスト又は上記ブロードキャストを制御する。
【０１４８】
例えば、上述したように、上記マクロ帯域関連情報は、上記マクロ帯域をマクロセル基地局２００が使用する際の最大送信電力を示す情報を含む。そして、通信制御部２５３は、上記マルチキャスト又は上記ブロードキャストのための送信電力が上記最大送信電力と一致するように、上記マルチキャスト又は上記ブロードキャストのための送信電力を決定する。
【０１４９】
これにより、例えば、スモールセル基地局３００のうちの、上記マクロ帯域の一部又は全部を使用する可能性があるスモールセル基地局３００のみに、上記マクロ帯域関連情報を提供することが可能になる。
【０１５０】
なお、上記マクロ帯域は、２つ以上の個別の帯域を含み得る。また、上記マクロ帯域関連情報は、上記２つ以上の個別の帯域の各々について、個別の帯域に関する情報を含み得る。とりわけ、上記マクロ帯域関連情報は、上記２つ以上の個別の帯域の各々について、個別の帯域についての最大送信電力を示す情報を含む。この場合に、通信制御部２５３による制御を通じて、マクロセル基地局２００は、上記２つ以上の個別の帯域の各々について、個別の帯域についての最大送信電力に応じた送信電力（例えば、当該最大送信電力）で、当該個別の帯域に関する情報のマルチキャスト又はブロードキャストを行ってもよい。上記２つ以上の個別の帯域の各々についてのマルチキャスト又はブロードキャストのタイミングは、共通のタイミングであってもよく、又は、個別の帯域ごとのタイミングであってもよい。
【０１５１】
以上のように、上記マクロ帯域関連情報のマルチキャスト又はブロードキャストが行われる。これにより、例えば、移動可能な装置（例えば、モバイルルータ）であるスモールセル基地局３００にも、上記マクロ帯域関連情報を提供することが可能になる。また、ユニキャストのケースと比べて、マクロセル基地局２００により送受信される制御情報が少なくなり得る。
【０１５２】
（ｂ）マクロ帯域を使用した無線通信
例えば、通信制御部２５３は、マクロセル基地局２００による上記マクロ帯域（即ち、上記共用帯域のうちの、マクロセル基地局２００が使用可能な周波数帯域）を使用した無線通信を制御する。
【０１５３】
例えば、通信制御部２５３は、上記マクロ帯域関連情報に基づいて、上記マクロ帯域の使用のための設定を行う。例えば、通信制御部２５３は、上記マクロ帯域のうちの使用する帯域、最大送信電力及び／又は使用期間などを設定する。なお、上記マクロ帯域が２つ以上の個別の帯域を含む場合に、上記マクロ帯域のうちの使用する上記帯域として、上記２つ以上の個別の帯域の全てが設定されてもよく、あるいは、上記２つ以上の個別の帯域の一部のみが設定されてもよい。即ち、マクロセル基地局２００は、上記マクロ帯域の全てを使用してもよく、上記マクロ帯域の一部のみを使用してもよい。
【０１５４】
例えば、通信制御部２５３は、上記スモール帯域使用条件に基づいて、上記マクロ帯域のうちの上記スモール帯域の使用のための設定を行う。例えば、通信制御部２５３は、通信制御部２５３は、上記スモール帯域についての最大送信電力及び／又は使用期間などを設定する。これにより、例えば、マクロセル基地局２００とスモールセル基地局３００との間での干渉の回避又は抑制が可能になる。
【０１５５】
＜２．３．スモールセル基地局の構成＞
次に、図７を参照して、第１の実施形態に係るスモールセル基地局３００の構成の一例を説明する。図７は、第１の実施形態に係るスモールセル基地局３００の構成の一例を示すブロック図である。図７を参照すると、スモールセル基地局３００は、アンテナ部３１０、無線通信部３２０、ネットワーク通信部３３０、記憶部３４０及び処理部３５０を含む。
【０１５６】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【０１５７】
（無線通信部３２０）
無線通信部３２０は、信号を送受信する。例えば、無線通信部３２０は、スモールセル３０内に位置する端末装置へのダウンリンク信号を送信し、スモールセル３０内に位置する端末装置からのアップリンク信号を受信する。また、無線通信部３２０は、マクロセル基地局２００により送信される信号を受信する。
【０１５８】
（ネットワーク通信部３３０）
ネットワーク通信部３３０は、情報を送受信する。例えば、ネットワーク通信部３３０は、他のノードへの情報を送信し、他のノードからの情報を受信する。例えば、上記他のノードは、情報処理装置１００及び他のコアネットワークノードを含む。また、例えば、上記他のノードは、マクロセル基地局２００及び他のスモールセル基地局３００を含む。
【０１５９】
例えば、ネットワーク通信部３３０は、有線のバックホールを介して情報を送受信する。なお、スモールセル基地局３００は、基地局として動作可能であり且つ移動可能な装置（例えば、モバイルルータ）であってもよい。この場合に、ネットワーク通信部３３０は、無線バックホールを介して情報を送受信してもよい。・
【０１６０】
（記憶部３４０）
記憶部３４０は、スモールセル基地局３００の動作のためのプログラム及びデータを一時的にまたは恒久的に記憶する。
【０１６１】
（処理部３５０）
処理部３５０は、スモールセル基地局３００の様々な機能を提供する。処理部３５０は、情報取得部３５１、見積部３５３、要求部３５５及び通信制御部３５７を含む。なお、処理部３５０は、これらの構成要素以外の他の構成要素をさらに含み得る。即ち、処理部３５０は、これらの構成要素の動作以外の動作も行い得る。
【０１６２】
（情報取得部３５１）
（ａ）マクロ帯域関連情報の取得
情報取得部３５１は、上記マクロ帯域関連情報を取得する。
【０１６３】
例えば、マクロセル基地局２００は、上記マクロ帯域関連情報のマルチキャスト又はブロードキャストを行う。すると、例えば、スモールセル基地局３００は、当該マクロ帯域関連情報を受信し、記憶部３４０に当該マクロ帯域関連情報を記憶する。その後のいずれかのタイミングで、情報取得部３５１は、上記マクロ帯域関連情報を取得する。
【０１６４】
なお、スモールセル基地局３００が、マルチキャストされ又はブロードキャストされる上記マクロ帯域関連情報を受信可能な領域内に位置しない場合には、情報取得部３５１は、上記マクロ帯域関連情報を取得しない。
【０１６５】
（ｂ）位置情報の取得
−スモールセル基地局３００の位置情報
例えば、情報取得部３５１は、スモールセル基地局３００の位置を示す位置情報を取得する。
【０１６６】
例えば、上記位置情報は、記憶部３４０に記憶され、情報取得部３５１は、記憶部３４０から当該位置情報を取得する。
【０１６７】
一例として、スモールセル基地局３００は、ＧＰＳ（Ｇｒｏｂａｌ  Ｐｏｓｉｔｉｏｎｉｎｇ  Ｓｙｓｔｅｍ）受信機を有し、上記位置情報は、当該ＧＰＳ受信機により生成され、記憶部３４０に記憶される。別の例として、上記位置情報は、上記セルラーシステムのオペレータにより入力され、記憶部３４０に記憶されてもよい。
【０１６８】
−マクロセル基地局２００の位置情報
例えば、情報取得部３５１は、マクロセル基地局２００の位置を示す位置情報を取得する。
【０１６９】
例えば、上記位置情報は、記憶部３４０に記憶され、情報取得部３５１は、記憶部３４０から当該位置情報を取得する。
【０１７０】
例えば、上記位置情報は、情報処理装置１００又はマクロセル基地局２００によりスモールセル基地局３００に提供され、記憶部３４０に記憶される。
【０１７１】
（見積部３５３）
（ａ）スモール帯域の見積り
見積部３５３は、上記マクロ帯域（即ち、上記共用帯域のうちの、マクロセル基地局２００が使用可能な周波数帯域）のうちの、スモールセル基地局３００が使用可能な周波数帯域（即ち、上記スモール帯域）の見積りを行う。
【０１７２】
−マクロ帯域関連情報に基づく見積り
例えば、見積部３５３は、上記マクロ帯域関連情報に基づいて、上記スモール帯域の見積りを行う。
【０１７３】
上述したように、上記マクロ帯域関連情報は、上記マクロ帯域を示す情報、及びマクロセル基地局２００が上記マクロ帯域を使用する際の最大送信電力などを含む。
【０１７４】
−位置に基づく見積り
例えば、見積部３５３は、スモールセル基地局３００の位置に基づいて、上記スモール帯域の見積もりを行う。スモールセル基地局３００の当該位置は、情報取得部３５１により取得されるスモールセル基地局３００の位置情報により示される。
【０１７５】
また、例えば、見積部３５３は、マクロセル基地局２００の位置に基づいて、上記スモール帯域を決定する。マクロセル基地局２００の当該位置は、情報取得部３５１により取得されるマクロセル基地局２００の位置情報により示される。
【０１７６】
−具体的な手法
例えば、見積部３５３は、情報処理装置１００の通信制御部１３５による上記スモール帯域の決定の具体的な手法（図４を参照して説明した第１の例、図５を参照して説明した第２の例、又は第３の例）と同様の手法で、上記スモール帯域の見積もりを行う。
【０１７７】
（ｂ）最大送信電力の見積り
例えば、見積部３５３は、スモールセル基地局３００が使用可能な上記周波数帯域（即ち、スモール帯域）をスモールセル基地局３００が使用する際の最大送信電力の見積りを行う。
【０１７８】
−マクロ帯域関連情報に基づく見積り
例えば、見積部３５３は、上記マクロ帯域関連情報に基づいて、上記最大送信電力の見積りを行う。
【０１７９】
−位置に基づく見積り
例えば、見積部３５３は、スモールセル基地局３００の位置に基づいて、上記最大送信電力の見積りを行う。また、例えば、見積部３５３は、マクロセル基地局２００の位置に基づいて、上記最大送信電力の見積りを行う。
【０１８０】
−具体的な手法
例えば、見積部３５３は、情報処理装置１００の通信制御部１３５による上記最大送信電力の決定の具体的な手法と同様の手法で、上記最大送信電力の見積もりを行う。
【０１８１】
なお、上記最大送信電力の見積りを行うことは、スモールセル基地局３００が上記スモール帯域を使用する際のスモールセル基地局３００の通信エリアを見積ることも意味する。
【０１８２】
（要求部３５５）
要求部３５５は、上記スモール帯域（即ち、上記マクロ帯域のうちの、スモールセル基地局３００が使用可能な周波数帯域）がある場合に、スモールセル基地局３００による上記共用帯域の使用の許可を要求する。
【０１８３】
これにより、例えば、上記スモール帯域がないにもかかわらず、上記許可が要求されてしまうことを回避することが可能になる。その結果、要求の回数が少なくなり、情報処理装置１００にとっての負担が軽減され得る。
【０１８４】
（ａ）最大送信電力についての条件
例えば、要求部３５５は、上記スモール帯域の見積りの結果として上記スモール帯域がある場合に、スモールセル基地局３００が上記スモール帯域を使用する際の最大送信電力についての条件が満たされれば、スモールセル基地局３００による上記共用帯域の使用の許可を要求する。
【０１８５】
より具体的には、例えば、上記最大送信電力についての上記条件は、スモールセル基地局３００が上記スモール帯域を使用する際の最大送信電力の見積りの結果が所定の閾値を上回ることである。即ち、上記スモール帯域の見積りの結果として上記スモール帯域があり、且つ、スモールセル基地局３００が上記スモール帯域を使用する際の最大送信電力の見積りの結果が所定の閾値を上回る場合に、要求部３５５は、スモールセル基地局３００による上記共用帯域の使用の許可を要求する。
【０１８６】
これにより、例えば、上記スモール帯域の使用が有効である場合に限り、上記スモール帯域の使用の許可が要求される。その結果、要求の回数がさらに少なくなり、情報処理装置１００にとっての負担が軽減され得る。
【０１８７】
なお、上記所定の閾値は、スモールセル基地局３００のスモールセル３０におけるトラフィック量に応じて設定されてもよい。具体的には、例えば、上記トラフィック量が大きい場合に、上記所定の閾値がより小さい値に設定され、上記トラフィック量が小さい場合に、上記所定の閾値がより大きい値に設定されてもよい。
【０１８８】
また、上記所定の閾値は、情報処理装置１００（例えば、通信制御部１３５）による指示に応じて設定されてもよい。この場合に、上記所定の閾値は、他のスモールセル基地局３００による上記スモール帯域の使用状況に基づいて設定されてもよい。
【０１８９】
（ｂ）要求の手法
例えば、要求部３５５は、ネットワーク通信部３３０を介して、スモールセル基地局３００による上記共用帯域の使用の許可を要求する使用許可要求メッセージを、情報処理装置１００へ送信する。
【０１９０】
なお、要求部３５５は、スモールセル基地局３００による上記共用帯域の使用の許可を情報処理装置１００に要求する際に、上記スモール帯域の見積りの結果を情報処理装置１００に提供してもよい。そして、情報処理装置１００（例えば、通信制御部１３５）は、上記スモール帯域の上記見積りの結果を利用して、上記スモール帯域を決定してもよい。
【０１９１】
（通信制御部３５７）
通信制御部３５７は、スモールセル基地局３００による上記スモール帯域（即ち、上記マクロ帯域のうちの、スモールセル基地局３００が使用可能な周波数帯域）を使用した無線通信を制御する。
【０１９２】
（ａ）スモール帯域関連情報に基づく設定
例えば、要求部３５５が、スモールセル基地局３００による上記共用帯域の使用の許可を情報処理装置１００に要求し、その結果、情報処理装置１００は、上記スモール帯域関連情報をスモールセル基地局３００に提供する。すると，通信制御部３５７は、上記スモール帯域関連情報に基づいて、上記スモール帯域の使用のための設定を行う。例えば、通信制御部３５７は、上記スモール帯域のうちの使用する帯域、最大送信電力及び／又は使用期間などを設定する。なお、上記スモール帯域が２つ以上の個別の帯域を含む場合に、上記スモール帯域のうちの使用する上記帯域として、上記２つ以上の個別の帯域の全てが設定されてもよく、あるいは、上記２つ以上の個別の帯域の一部のみが設定されてもよい。即ち、スモールセル基地局３００は、上記スモール帯域の全てを使用してもよく、上記スモール帯域の一部のみを使用してもよい。
【０１９３】
（ｂ）ＳＣＣとしてのスモール帯域の使用
通信制御部３５７は、上記スモール帯域の一部又は全部がキャリアアグリゲーションのＳＣＣ（Secondary  Component  Carrier）として使用されるように、上記スモール帯域を使用した無線通信を制御する。
【０１９４】
上記ＳＣＣ（上記スモール帯域の一部又は全部）に対応するＰＣＣ（Primary  Component  Carrier）は、スモールセル基地局３００により使用される周波数帯域であってもよく、あるいは、マクロセル基地局２００により使用される周波数帯域であってもよい。
【０１９５】
具体的な処理として、例えば、通信制御部３５７は、上記スモール帯域の一部又は全部をＳＣＣとしてアクティベートする。
【０１９６】
（ｃ）その他
上述したように、例えば、スモール帯域関連情報は、上記スモール帯域の使用可能エリアを示す情報を含んでもよい。また、スモールセル基地局３００は、基地局として動作可能であり且つ移動可能な装置（例えば、モバイルルータ）であってもよい。この場合に、通信制御部３５７は、スモールセル基地局３００が上記使用可能エリアから出る場合に、スモールセル基地局３００による上記スモール帯域の使用を停止する。なお、その後、要求部３５５は、必要に応じて、スモールセル基地局３００による上記共用帯域の使用の許可を再び要求し得る。
【０１９７】
＜２．４．処理の流れ＞
次に、図８及び図９を参照して、第１の実施形態に係る処理の例を説明する。
【０１９８】
（第１の処理）
図８は、第１の実施形態に係る第１の処理の概略的な流れの一例を示すシーケンス図である。当該第１の処理は、上記マクロ帯域関連情報の取得のための処理である。換言すると、上記第１の処理は、マクロセル基地局２００による共用帯域の使用の許可を得るための処理である。
【０１９９】
マクロセル基地局２００は、マクロセル基地局２００による共用帯域（即ち、セルラーシステムと他のシステムとの間で共用される周波数帯域）の使用の許可を情報処理装置１００に要求する（Ｓ４０１）。
【０２００】
すると、情報処理装置１００は、マクロセル基地局２００による上記共用帯域の使用の許可をコントローラ５０に要求する（Ｓ４０３）。
【０２０１】
そして、コントローラ５０は、マクロセル基地局２００による上記共用帯域の使用の許可を周波数管理システム４０に要求する（Ｓ４０５）。
すると、例えば、周波数管理システム４０は、上記共用帯域のうちのマクロセル基地局２００が使用可能な周波数帯域（即ち、マクロ帯域）に関する情報（即ち、マクロ帯域関連情報）をコントローラ５０に提供し、コントローラ５０は、当該情報を取得する（Ｓ４００７）。
【０２０２】
その後、コントローラ５０は、上記マクロ帯域関連情報を情報処理装置１００に提供する（Ｓ４０９）。
【０２０３】
そして、情報処理装置１００は、上記マクロ帯域関連情報をマクロセル基地局２００に提供する（Ｓ４１１）。
【０２０４】
その後、マクロセル基地局２００は、上記マクロ帯域関連情報に基づいて、上記マクロ帯域の使用のための設定を行う（Ｓ４１３）。
【０２０５】
（第２の処理）
図９は、第１の実施形態に係る第２の処理の概略的な流れの一例を示すシーケンス図である。当該第２の処理は、上記スモール帯域関連情報の提供及び取得のための処理である。換言すると、上記第２の処理は、スモールセル基地局３００による共用帯域の使用の許可を得るための処理である。
【０２０６】
マクロセル基地局２００は、セルラーシステムと他のシステムとの間で共用される共用帯域のうちのマクロセル基地局２００が使用可能な周波数帯域（即ち、マクロ帯域）に関する情報（即ち、マクロ帯域関連情報）のマルチキャスト又はブロードキャストを行う（Ｓ４２１）。当該マルチキャスト又は当該ブロードキャストは、情報処理装置１００の指示に応じて行われてもよい。
【０２０７】
そして、スモールセル基地局３００は、上記マクロ帯域のうちのスモールセル基地局３００が使用可能な周波数帯域（即ち、スモール帯域）の見積りを行う（Ｓ４２３）。その結果、例えば、上記マクロ帯域の中にスモールセル基地局３００が使用可能な帯域があると判断する。
【０２０８】
その後、スモールセル基地局３００は、スモールセル基地局３００による上記共用帯域の使用の許可を情報処理装置１００に要求する（Ｓ４２５）。
【０２０９】
すると、情報処理装置１００は、上記マクロ帯域のうちのスモールセル基地局３００が使用可能な周波数帯域（即ち、スモール帯域）を決定する（Ｓ４２７）。
【０２１０】
その後、情報処理装置１００は、上記スモール帯域に関する情報（即ち、スモール帯域関連情報）をスモールセル基地局３００に提供する（Ｓ４３１）。また、情報処理装置１００は、マクロセル基地局２００が上記スモール帯域を使用する条件を示す情報（即ち、スモール帯域使用条件情報）をマクロセル基地局２００に提供する（Ｓ４３３）。
【０２１１】
マクロセル基地局２００は、上記スモール帯域使用条件情報に基づいて、上記スモール帯域の使用のための設定を行う（Ｓ４３５）。
【０２１２】
また、スモールセル基地局３００は、上記スモール帯域関連情報に基づいて、上記スモール帯域の使用のための設定を行う（Ｓ４３７）。
【０２１３】
そして、スモールセル基地局３００は、上記スモール帯域の使用のための上記設定の結果を情報処理装置１００に提供し（Ｓ４３９）、情報処理装置１００は、上記設定の結果を保存する（Ｓ４４１）。
【０２１４】
＜２．５．第１の変形例＞
次に、第１の実施形態の第１の変形例を説明する。第１の変形例によれば、情報処理装置１００（通信制御部１３５）は、スモールセル基地局３００のスモールセル３０におけるトラフィック量に基づいて、スモールセル基地局３００が使用可能な周波数帯域（即ち、スモール帯域）を決定する。
【０２１５】
（スモールセル基地局３００：要求部３５５）
（ｃ）情報の提供
要求部３５５は、スモールセル基地局３００のスモールセル３０におけるトラフィック量を示す情報（以下、「トラフィック量情報」と呼ぶ）を情報処理装置１００に提供する。
【０２１６】
例えば、要求部３５５は、ネットワーク通信部３３０を介して、上記トラフィック量情報を含む使用許可要求メッセージを情報処理装置１００へ送信する。
【０２１７】
上記トラフィック量は、一定期間における総トラフィック量であってよく、トラフィック量の平均値であってもよい。あるいは、上記トラフィック量は、予測される今後のトラフィック量であってもよい。
【０２１８】
（情報処理装置１００：情報取得部１３３）
（ｄ）さらなる情報の取得
情報取得部１３３は、上記トラフィック量情報を取得する。
【０２１９】
（情報処理装置１００：通信制御部１３５）
（ａ）スモール帯域の決定
（ａ−２）決定の手法
−トラフィック量に基づく決定
通信制御部１３５は、スモールセル基地局３００のスモールセル３０におけるトラフィック量に基づいて、上記マクロ帯域のうちの、スモールセル基地局３００が使用可能な周波数帯域（即ち、スモール帯域）を決定する。
【０２２０】
−具体的な手法
上述したように、第４の例として、上述した第１〜第３の例のような手法において、さらに、スモールセル基地局３００と他の基地局（マクロセル基地局２００及び／又は他のスモールセル基地局３００）との間での干渉が発生しないように、上記マクロ帯域のうちのスモールセル基地局３００が使用可能な周波数帯域（即ち、上記スモール帯域）が決定されてもよい。例えば、２つ以上のスモールセル基地局３００が互いに近傍に位置する場合に、当該２つ以上のスモールセル基地局３００のうちの一部のスモールセル基地局３００について、個別の帯域が、スモールセル基地局３００が使用可能な周波数帯域（即ち、スモール帯域）に含められてもよい。
【０２２１】
第１の実施形態の第１の変形例では、例えば、２つ以上のスモールセル基地局３００が互いに近傍に位置する場合に、通信制御部１３５は、当該２つ以上のスモールセル基地局３００のうちの、より大きいトラフィック量を伴うスモールセル基地局３００に、より優先的に個別の帯域を割り当てる。一例として、第１のスモールセル基地局３００と第２のスモールセル基地局３００とが互いに近傍に位置する。また、第１のスモールセル基地局３００のスモールセル３０におけるトラフィック量は、第２のスモールセル基地局３００のスモールセル３０におけるトラフィック量よりも大きい。この場合に、例えば、通信制御部１３５は、より多くの個別の帯域を含む、第１のスモールセル基地局３００のスモール帯域と、より少ない個別の帯域を含む、第２のスモールセル基地局３００のスモール帯域とを決定する。
【０２２２】
以上、第１の実施形態の第１の変形例を説明した。第１の変形例によれば、例えば、よりトラフィック量が大きいスモールセル３０において、より多くの帯域が使用可能になる。
【０２２３】
＜２．６．第２の変形例＞
次に、第１の実施形態の第２の変形例を説明する。第２の変形例によれば、情報処理装置１００（通信制御部１３５）は、スモールセル基地局３００が送受信するデータの優先度に基づいて、スモールセル基地局３００が使用可能な周波数帯域（即ち、スモール帯域）を決定する。
【０２２４】
（スモールセル基地局３００：要求部３５５）
（ｃ）情報の提供
要求部３５５は、スモールセル基地局３００が送受信するデータの優先度を示す情報（以下、「優先度情報」と呼ぶ）を情報処理装置１００に提供する。
【０２２５】
例えば、要求部３５５は、ネットワーク通信部３３０を介して、上記優先度情報を含む使用許可要求メッセージを情報処理装置１００へ送信する。
【０２２６】
例えば、データの種類に応じた優先度が定められる。一例として、音声通話データ及びストリーミング配信データには、高い優先度が定められる。そして、上記優先度情報は、スモールセル基地局３００が送受信する全てのデータの優先度の和を示してもよく、スモールセル基地局３００が送受信するデータの優先度の平均値であってもよい。あるいは、上記優先度情報は、全トラフィックに対する、ある優先度以上の優先度を有するトラフィックの割合であってもよい。
【０２２７】
（情報処理装置１００：情報取得部１３３）
（ｄ）さらなる情報の取得
情報取得部１３３は、上記優先度情報を取得する。
【０２２８】
（情報処理装置１００：通信制御部１３５）
（ａ）スモール帯域の決定
（ａ−２）決定の手法
−データの優先度に基づく決定
通信制御部１３５は、スモールセル基地局３００が送受信するデータの優先度に基づいて、上記マクロ帯域のうちの、スモールセル基地局３００が使用可能な周波数帯域（即ち、スモール帯域）を決定する。
【０２２９】
−具体的な手法
上述したように、第４の例として、上述した第１〜第３の例のような手法において、さらに、スモールセル基地局３００と他の基地局（マクロセル基地局２００及び／又は他のスモールセル基地局３００）との間での干渉が発生しないように、上記マクロ帯域のうちのスモールセル基地局３００が使用可能な周波数帯域（即ち、上記スモール帯域）が決定されてもよい。例えば、２つ以上のスモールセル基地局３００が互いに近傍に位置する場合に、当該２つ以上のスモールセル基地局３００のうちの一部のスモールセル基地局３００について、個別の帯域が、スモールセル基地局３００が使用可能な周波数帯域（即ち、スモール帯域）に含められてもよい。
【０２３０】
第１の実施形態の第２の変形例では、例えば、２つ以上のスモールセル基地局３００が互いに近傍に位置する場合に、通信制御部１３５は、当該２つ以上のスモールセル基地局３００のうちの、より高い優先度を有するデータを送受信するスモールセル基地局３００に、より優先的に個別の帯域を割り当てる。一例として、第１のスモールセル基地局３００と第２のスモールセル基地局３００とが互いに近傍に位置する。また、第１のスモールセル基地局３００が送受信するデータの優先度は、第２のスモールセル基地局３００が送受信するデータの優先度よりも高い。この場合に、例えば、通信制御部１３５は、より多くの個別の帯域を含む、第１のスモールセル基地局３００のスモール帯域と、より少ない個別の帯域を含む、第２のスモールセル基地局３００のスモール帯域とを決定する。
【０２３１】
以上、第１の実施形態の第２の変形例を説明した。第２の変形例によれば、例えば、より高い優先度を有するデータを送受信するスモールセル基地局３００がより多くの帯域を使用することが可能になる。
【０２３２】
＜２．７．第３の変形例＞
次に、第１の実施形態の第３の変形例を説明する。第３の変形例によれば、情報処理装置１００（通信制御部１３５）は、スモールセル基地局３００のスモールセル３０における通信品質に基づいて、スモールセル基地局３００が使用可能な周波数帯域（即ち、スモール帯域）を決定する。
【０２３３】
（スモールセル基地局３００：要求部３５５）
（ｃ）情報の提供
要求部３５５は、スモールセル基地局３００のスモールセル３０における通信品質を示す情報（以下、「通信品質情報」と呼ぶ）を情報処理装置１００に提供する。
【０２３４】
例えば、要求部３５５は、ネットワーク通信部３３０を介して、上記通信品質情報を含む使用許可要求メッセージを情報処理装置１００へ送信する。
【０２３５】
上記通信品質は、端末装置からスモールセル基地局３００へ送信されるＣＱＩ（Channel  Quality  Indicator）、ＲＳＲＰ（Reference  Signal  Received  Power）、ＲＳＲＱ（Reference  Signal  Received  Quality）、及び／又はＳＩＮＲ（Signal  to  Interference  and  Noise  Ratio）を含んでもよい。また、上記通信品質は、スモールセル基地局３００と端末装置との間のベアラを介して送受信されたデータの平均速度を含んでもよい。また、上記通信品質は、複数の端末装置についての通信品質の平均値であってもよい。
【０２３６】
（情報処理装置１００：情報取得部１３３）
（ｄ）さらなる情報の取得
情報取得部１３３は、上記通信品質情報を取得する。
【０２３７】
（情報処理装置１００：通信制御部１３５）
（ａ）スモール帯域の決定
（ａ−２）決定の手法
−通信品質に基づく決定
通信制御部１３５は、スモールセル基地局３００のスモールセル３０における通信品質に基づいて、上記マクロ帯域のうちの、スモールセル基地局３００が使用可能な周波数帯域（即ち、スモール帯域）を決定する。
【０２３８】
−具体的な手法
上述したように、第４の例として、上述した第１〜第３の例のような手法において、さらに、スモールセル基地局３００と他の基地局（マクロセル基地局２００及び／又は他のスモールセル基地局３００）との間での干渉が発生しないように、上記マクロ帯域のうちのスモールセル基地局３００が使用可能な周波数帯域（即ち、上記スモール帯域）が決定されてもよい。例えば、２つ以上のスモールセル基地局３００が互いに近傍に位置する場合に、当該２つ以上のスモールセル基地局３００のうちの一部のスモールセル基地局３００について、個別の帯域が、スモールセル基地局３００が使用可能な周波数帯域（即ち、スモール帯域）に含められてもよい。
【０２３９】
第１の実施形態の第３の変形例では、例えば、２つ以上のスモールセル基地局３００が互いに近傍に位置する場合に、通信制御部１３５は、当該２つ以上のスモールセル基地局３００のうちの、より良好な通信品質を伴うスモールセル３０のスモールセル基地局３００に、より優先的に個別の帯域を割り当てる。一例として、第１のスモールセル基地局３００と第２のスモールセル基地局３００とが互いに近傍に位置する。また、第１のスモールセル基地局３００のスモールセル３０における通信品質は、第２のスモールセル基地局３００のスモールセル３０における通信品質よりも良好である。この場合に、例えば、通信制御部１３５は、より多くの個別の帯域を含む、第１のスモールセル基地局３００のスモール帯域と、より少ない個別の帯域を含む、第２のスモールセル基地局３００のスモール帯域とを決定する。
【０２４０】
（ｂ）最大送信電力の決定
−通信品質に基づく決定
例えば、通信制御部１３５は、スモールセル基地局３００のスモールセル３０における通信品質に基づいて、スモールセル基地局３００が上記スモール帯域を使用する際の最大送信電力を決定する。
【０２４１】
−具体的な手法
上述したように、第３の例として、上述した第１の例及び第２の例のような手法において、スモールセル基地局３００と他の基地局（マクロセル基地局２００及び／又は他のスモールセル基地局３００）との間での干渉が発生しないように、上記最大送信電力が決定されてもよい。例えば、２つ以上のスモールセル基地局３００が互いに近傍に位置する場合に、当該２つ以上のスモールセル基地局３００の通信エリアが重ならないように、当該２つ以上のスモールセル基地局３００が上記スモール帯域を使用する際の最大送信電力が決定されてもよい。
【０２４２】
第１の実施形態の第３の変形例では、例えば、２つ以上のスモールセル基地局３００が互いに近傍に位置する場合に、通信制御部１３５は、当該２つ以上のスモールセル基地局３００のうちのより良好な通信品質を伴うスモールセル基地局３００の最大送信電力がより大きくなるように、最大送信電力を決定する。一例として、第１のスモールセル基地局３００と第２のスモールセル基地局３００とが互いに近傍に位置する。また、第１のスモールセル基地局３００のスモールセル３０における通信品質は、第２のスモールセル基地局３００のスモールセル３０における通信品質よりも良好である。この場合に、通信制御部１３５は、第１のスモールセル基地局３００の最大送信電力がより大きくなり、第２のスモールセル基地局３００の最大送信電力がより小さくなるように、最大送信電力を決定してもよい。
【０２４３】
以上、第１の実施形態の第３の変形例を説明した。第３の変形例によれば、例えば、より良好な通信品質を伴うスモールセル基地局３００がより多くの帯域を使用することが可能になる。また、第３の変形例によれば、例えば、より良好な通信品質を伴うスモールセル基地局３００の最大送信電力をより大きくすることが可能になる。
【０２４４】
＜２．８．第４の変形例＞
次に、第１の実施形態の第４の変形例を説明する。第４の変形例によれば、情報処理装置１００（通信制御部１３５）は、２つ以上のスモールセル基地局３００のスモールセル３０における通信品質に基づいて、当該２つ以上のスモールセル基地局３００の間での、スモールセル基地局３００が使用可能な周波数帯域（即ち、スモール帯域）の交換を行う。
【０２４５】
（スモールセル基地局３００：要求部３５５）
（ｃ）情報の提供
要求部３５５は、スモールセル基地局３００のスモールセル３０における通信品質を示す情報（即ち、通信品質情報）を情報処理装置１００に提供する。
【０２４６】
例えば、要求部３５５は、ネットワーク通信部３３０を介して、上記通信品質情報を含む使用許可要求メッセージを情報処理装置１００へ送信する。
【０２４７】
上記通信品質は、端末装置からスモールセル基地局３００へ送信されるＣＱＩ、ＲＳＲＰ、ＲＳＲＱ、及び／又はＳＩＮＲを含んでもよい。また、上記通信品質は、スモールセル基地局３００と端末装置との間のベアラを介して送受信されたデータの平均速度を含んでもよい。また、上記通信品質は、複数の端末装置についての通信品質の平均値であってもよい。
【０２４８】
（情報処理装置１００：情報取得部１３３）
（ｄ）さらなる情報の取得
情報取得部１３３は、上記通信品質情報を取得する。
【０２４９】
（情報処理装置１００：通信制御部１３５）
（ａ）スモール帯域の決定
（ａ−４）スモール帯域の交換
情報処理装置１００（通信制御部１３５）は、２つ以上のスモールセル基地局３００のスモールセル３０における通信品質に基づいて、当該２つ以上のスモールセル基地局３００の間での、スモール帯域の交換を行う。
【０２５０】
例えば、第１のスモールセル基地局３００と第２のスモールセル基地局３００とが互いに近傍に位置する場合に、通信制御部１３５は、第１のスモールセル基地局３００と第２のスモールセル基地局３００との間でのスモール帯域の交換を決定する。より具体的には、例えば、通信制御部１３５は、第１のスモールセル基地局３００のスモール帯域のうちの、通信品質が不良な第１の個別の帯域を特定する。また、通信制御部１３５は、第２のスモールセル基地局３００のスモール帯域のうちの、通信品質が不良な第２の個別の帯域を特定する。そして、通信制御部１３５は、上記第１の個別の帯域と上記第２の個別の帯域とが同一ではない場合に、上記第１の個別の帯域と上記第２の個別の帯域との交換を決定する。そして、通信制御部１３５は、当該交換（即ち、スモール帯域の変更）を第１のスモールセル基地局３００及び第２のスモールセル基地局３００に指示する。その結果、第１のスモールセル基地局３００の上記スモール帯域は、上記第１の個別の帯域の代わりに上記第２の個別の帯域を含み、第２のスモールセル基地局３００の上記スモール帯域は、上記第２の個別の帯域の代わりに上記第１の個別の帯域を含むようになる。また、通信制御部１３５は、上記通信品質が不良な第２の個別の帯域に関して、第１のスモールセル基地局３００との無線通信を行う端末装置に通信品質の測定を指示し、上記通信品質が不良な第１の個別の帯域に関して、第２のスモールセル基地局３００との無線通信を行う端末装置に通信品質の測定を指示し、それぞれ通信品質が改善される場合にのみ、当該交換（即ち、スモール帯域の変更）を第１のスモールセル基地局３００及び第２のスモールセル基地局３００に指示してもよい。なお、通信品質の測定はメジャメントギャップ（Measurement  Gap）と呼ばれる期間に行われてもよい。
【０２５１】
以上、第１の実施形態の第４の変形例を説明した。第４の変形例によれば、例えば、スモールセル３０における通信品質を向上させることが可能になる。
【０２５２】
＜２．９．第５の変形例＞
次に、第１の実施形態の第５の変形例を説明する。第５の変形例によれば、情報処理装置１００（要求部１３１）は、マクロセル基地局２００のマクロセル２０及びスモールセル基地局３００のスモールセル３０におけるトラフィック量を示す情報をコントローラ５０に提供する。また、上記マクロ帯域（即ち、上記共用帯域のうちの、マクロセル基地局２００が使用可能な周波数帯域）は、上記トラフィック量に基づいて決定される帯域である。
【０２５３】
（情報処理装置１００：要求部１３１）
（ｃ）情報の提供
−トラフィック量情報の提供
要求部１３１は、マクロセル基地局２００のマクロセル２０及びスモールセル基地局３００のスモールセル３０におけるトラフィック量を示す情報（以下、「トラフィック量情報」）をコントローラ５０に提供する。
【０２５４】
−トラフィック量
例えば、上記トラフィック量は、マクロセル２０ごとのトラフィック量であり、マクロセル２０及びマクロセル２０に対応する全てのスモールセル３０におけるトラフィック量の総和である。
【０２５５】
また、上記トラフィック量は、例えば、現在のトラフィック量又は一定期間内のトラフィック量（例えば、過去の一定期間内のトラフィック量、若しくは、将来の一定期間内の予測されるトラフィック量）である。
【０２５６】
−トラフィック量情報の取得
例えば、処理部１３０（例えば、要求部１３１）は、各基地局（マクロセル基地局２００又はスモールセル基地局３００）から基地局ごとのトラフィック量を示す情報を収集する。そして、処理部１３０（例えば、要求部１３１）は、収集されたトラフィック量の総和を算出する。これにより、要求部１３１は、上記トラフィック情報を取得する。
【０２５７】
なお、処理部１３０（例えば、要求部１３１）は、各基地局（マクロセル基地局２００又はスモールセル基地局３００）から基地局ごとのトラフィック量示す情報を収集する代わりに、ルータ７０からトラフィック量を示す情報を集取してもよい。
【０２５８】
−提供のタイミング
例えば、要求部１３１は、マクロセル基地局２００による上記共用帯域の使用の許可をコントローラ５０に要求する際に、上記トラフィック量情報をコントローラ５０に提供する。より具体的には、例えば、要求部１３１は、上記トラフィック量情報を含む使用許可要求メッセージを、コントローラ５０を介して送信する。
【０２５９】
（コントローラ５０／周波数管理システム４０）
コントローラ５０は、情報処理装置１００により提供される上記トラフィック量情報に基づいて、マクロセル基地局２００による上記共用帯域の使用の許可を周波数管理システム４０に要求する。
【０２６０】
例えば、コントローラ５０は、上記トラフィック量情報により示されるトラフィック量に応じた優先度で、マクロセル基地局２００による上記共用帯域の使用の許可を周波数管理システム４０に要求する。例えば、上記優先度は、上記トラフィック量がより大きい場合により高く、上記トラフィック量がより小さい場合により低くなる。
【０２６１】
例えば、周波数管理システム４０は、上記優先度がより高い場合に、上記マクロ帯域（即ち、上記共用帯域のうちのマクロセル基地局２００が使用可能な周波数帯域）がより広い帯域になるように、優先的に上記マクロ帯域を決定する。
【０２６２】
以上、第１の実施形態の第５の変形例を説明した。第５の変形例によれば、例えば、例えば、よりトラフィック量が大きい場合に、マクロセル基地局２００が使用可能な周波数帯域がより広くなる。
【０２６３】
＜＜３．第２の実施形態＞＞
続いて、図１０及び図１１を参照して、本開示の第２の実施形態を説明する。
【０２６４】
第２の実施形態では、情報処理装置１００の通信制御部１３５のための処理リソースの拡大及び縮小が行われる。これにより、例えば、情報処理装置１００へのマクロセル基地局２００の対応をより柔軟に変更することが可能になる。
【０２６５】
なお、第２の実施形態に係るマクロセル基地局２００及びスモールセル基地局３００についての説明は、第１の実施形態に係るマクロセル基地局２００及びスモールセル基地局３００についての説明と同じである。また、第１の実施形態に係る第１〜第５の変形例は、第２の実施形態にも同様に適用可能である。よって、ここでは、第２の実施形態に係る情報処理装置１００の構成と、第２の実施形態に係る処理の流れのみを説明する。
【０２６６】
＜３．１．情報処理装置の構成＞
まず、図１０を参照して、第２の実施形態に係る情報処理装置１００の構成の一例を説明する。図１０は、第２の実施形態に係る情報処理装置１００の構成の一例を示すブロック図である。図１０を参照すると、情報処理装置１００は、通信部１１０、記憶部１２０及び処理部１３０を備える。
【０２６７】
ここで、第１の実施形態に係る情報処理装置１００と第２の実施形態に係る情報処理装置１００との相違点は、第２の実施形態に係る情報処理装置１００は処理リソース制御部１３７を含むが、第１の実施形態に係る情報処理装置１００は処理リソース制御部１３７を含まないという点のみである。よって、ここでは、処理リソース制御部１３７のみを説明する。
【０２６８】
（処理リソース制御部１３７）
処理リソース制御部１３７は、通信制御部１３５のための処理リソースの拡大及び縮小を行う。
【０２６９】
例えば、通信制御部１３５は、２つ以上のスモールセル基地局３００の各々について、スモールセル基地局３００が使用可能な周波数帯域（スモール帯域）を決定する。また、処理リソース制御部１３７は、上記２つ以上のスモールセル基地局３００のうちの動作中のスモールセル基地局３００の数に基づいて、通信制御部１３５のための処理リソースの拡大及び縮小を行う。
【０２７０】
具体的には、例えば、処理部１３０（例えば、処理リソース制御部１３７）は、情報処理装置１００に対応する２つ以上のスモールセル基地局３００の各々についての動作モードを管理する。一例として、処理部１３０（例えば、処理リソース制御部１３７）は、２つ以上のスモールセル基地局３００の各々から、動作モードを示す情報（以下、「動作モード情報」と呼ぶ）を取得し、当該情報を記憶部１２０に保存する。当該動作モード情報は、少なくともスモールセル基地局３００が動作中であるか否かを示す。上記動作モードは、「動作中」及び「停止中」という２つのモードのうちの一方であってもよく、あるいは、３種類以上のモードのうちの１つであってもよい。
【０２７１】
例えば、処理リソース制御部１３７は、２つ以上のスモールセル基地局３００の動作モード情報に基づいて、動作中のスモールセル基地局３００の数をカウントする。そして、処理リソース制御部１３７は、動作中のスモールセル基地局３００の数に基づいて、通信制御部１３５のための処理リソースの拡大又は縮小が必要かを判定する。一例として、動作中のスモールセル基地局３００の数が変化した場合には、処理リソース制御部１３７は、通信制御部１３５のための処理リソースの拡大又は縮小が必要であると判定する。そして、処理リソース制御部１３７は、動作中のスモールセル基地局３００の数に基づいて、通信制御部１３５のための処理リソースの拡大又は縮小を行う。例えば、動作中のスモールセル基地局３００の数が増えた場合には、処理リソース制御部１３７は、通信制御部１３５のための処理リソースの量が動作中のスモールセル基地局３００の数に応じた量になるように、通信制御部１３５のための処理リソースの拡大を行う。また、例えば、動作中のスモールセル基地局３００の数が減った場合には、処理リソース制御部１３７は、通信制御部１３５のための処理リソースの量が動作中のスモールセル基地局３００の数に応じた量になるように、通信制御部１３５のための処理リソースの縮小を行う。
【０２７２】
これにより、例えば、通信制御部１３５の処理量の増減に応じて処理リソースを増減させることが可能になる。
【０２７３】
より具体的には、例えば、動作中のスモールセル基地局３００の数が増加すれば、スモールセル基地局３００による上記共用帯域の使用の許可の要求も増加し得る。その結果、通信制御部１３５の処理量が増加し得る。また、動作中のスモールセル基地局３００の数が減少すれば、スモールセル基地局３００による上記共用帯域の使用の許可の要求も減少し得る。その結果、通信制御部１３５の処理量が減少し得る。そのため、動作中のスモールセル基地局３００の数に基づく処理リソースの拡大及び縮小により、通信制御部１３５の処理量の増減に応じて処理リソースを増減させることが可能になる。その結果、例えば、処理リソースが節約されつつ、上記スモール帯域の決定が円滑に行われ得る。
【０２７４】
なお、処理リソースの拡大及び縮小は、一般的に仮想化と呼ばれる技術により実現され得る。また、処理リソースの拡大及び縮小は、並列して行う演算処理の並列処理の数を可変させることで実現してもよい。
【０２７５】
＜３．２．処理の流れ＞
次に、図１１を参照して、第２の実施形態に係る処理の例を説明する。
【０２７６】
（第１の処理）
第２の実施形態に係る第１の処理は、図８を参照して説明した第１の実施形態に係る第１の処理と同じである。よって、ここでは重複する記載を省略する。
【０２７７】
（第２の処理）
第２の実施形態に係る第２の処理は、図９を参照して説明した第１の実施形態に係る第２の処理と同じである。よって、ここでは重複する記載を省略する。
【０２７８】
（処理リソース制御処理）
図１１は、第２の実施形態に係る処理リソース制御処理の概略的な流れの一例を示すフローチャートである。
【０２７９】
処理リソース制御部１３７は、２つ以上のスモールセル基地局３００の動作モード情報に基づいて、動作中のスモールセル基地局３００の数をカウントする（Ｓ４５１）。
【０２８０】
そして、処理リソース制御部１３７は、動作中のスモールセル基地局３００の数に基づいて、通信制御部１３５のための処理リソースの拡大又は縮小が必要かを判定する（Ｓ４５３）。当該処理リソースの拡大及び縮小が不要である場合には（Ｓ４５３：ＮＯ）、処理は終了する。
【０２８１】
上記処理リソースの拡大又は縮小が不要である場合には（Ｓ４５３：ＹＥＳ）、処理リソース制御部１３７は、動作中のスモールセル基地局３００の数に基づいて、通信制御部１３５のための処理リソースの拡大又は縮小を行う（Ｓ４５５）。そして、処理は終了する。
【０２８２】
＜＜４．応用例＞＞
本開示に係る技術は、様々な製品へ応用可能である。例えば、情報処理装置１００は、タワーサーバ、ラックサーバ、又はブレードサーバなどのいずれかの種類のサーバとして実現されてもよい。また、情報処理装置１００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０２８３】
また、例えば、基地局（マクロセル基地局２００又はスモールセル基地局３００）は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、上記基地局は、ＮｏｄｅＢ又はＢＴＳ（Base  Transceiver  Station）などの他の種類の基地局として実現されてもよい。上記基地局は、無線通信を制御する本体（基地局装置ともいう）と、本体とは別の場所に配置される１つ以上のＲＲＨ（Remote  Radio  Head）とを含んでもよい。さらに、上記基地局の少なくとも一部の構成要素は、基地局装置又は基地局装置のためのモジュールにおいて実現されてもよい。
【０２８４】
また、例えば、スモールセル基地局３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。さらに、スモールセル基地局３００の少なくとも一部の構成要素は、これら端末に搭載されるモジュール（例えば、１つのダイで構成される集積回路モジュール）において実現されてもよい。
【０２８５】
＜４．１．情報処理装置に関する応用例＞
図１２は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２８６】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２８７】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２８８】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２８９】
図１２に示したサーバ７００において、図３及び図１０を参照して説明した処理部１３０に含まれる１つ以上の構成要素（要求部１３１、情報取得部１３３、通信制御部１３５及び／又は処理リソース制御部）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０２９０】
＜４．２．マクロセル基地局及びスモールセル基地局に関する応用例＞
（第１の応用例）
図１３は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２９１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１３に示したように複数のアンテナ８１０を有し、複数のアンテナ８１０は、例えばｅＮＢ８００が使用する複数の周波数帯域にそれぞれ対応してもよい。なお、図１３にはｅＮＢ８００が複数のアンテナ８１０を有する例を示したが、ｅＮＢ８００は単一のアンテナ８１０を有してもよい。
【０２９２】
基地局装置８２０は、コントローラ８２１、メモリ８２２、ネットワークインタフェース８２３及び無線通信インタフェース８２５を備える。
【０２９３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２９４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２９５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２９６】
無線通信インタフェース８２５は、図１３に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１３に示したように複数のＲＦ回路８２７を含み、複数のＲＦ回路８２７は、例えば複数のアンテナ素子にそれぞれ対応してもよい。なお、図１３には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２９７】
図１３に示したｅＮＢ８００において、図７を参照して説明した処理部３５０に含まれる１つ以上の構成要素（情報取得部３５１、見積部３５３、要求部３５５及び／又は通信制御部３５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図６を参照して説明した処理部２５０に含まれる１つ以上の構成要素（例えば、情報取得部２５１及び／又は通信制御部２５３）も、処理部３５０に含まれる上記１つ以上の構成要素と同様である。
【０２９８】
また、図１３に示したｅＮＢ８００において、図７を参照して説明した無線通信部３２０は、無線通信インタフェース８２５（例えば、ＲＦ回路８２７）において実装されてもよい。また、アンテナ部３１０は、アンテナ８１０において実装されてもよい。また、ネットワーク通信部３３０は、コントローラ８２１及び／又はネットワークインタフェース８２３において実装されてもよい。これらの点については、図６を参照して説明したアンテナ部２１０、無線通信部２２０及びネットワーク通信部２３０も、アンテナ部３１０、無線通信部３２０及びネットワーク通信部３３０と同様である。
【０２９９】
（第２の応用例）
図１４は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３００】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１４に示したように複数のアンテナ８４０を有し、複数のアンテナ８４０は、例えばｅＮＢ８３０が使用する複数の周波数帯域にそれぞれ対応してもよい。なお、図１４にはｅＮＢ８３０が複数のアンテナ８４０を有する例を示したが、ｅＮＢ８３０は単一のアンテナ８４０を有してもよい。
【０３０１】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１３を参照して説明したコントローラ８２１、メモリ８２２及びネットワークインタフェース８２３と同様のものである。
【０３０２】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１３を参照して説明したＢＢプロセッサ８２６と同様のものである。無線通信インタフェース８５５は、図１４に示したように複数のＢＢプロセッサ８５６を含み、複数のＢＢプロセッサ８５６は、例えばｅＮＢ８３０が使用する複数の周波数帯域にそれぞれ対応してもよい。なお、図１４には無線通信インタフェース８５５が複数のＢＢプロセッサ８５６を含む例を示したが、無線通信インタフェース８５５は単一のＢＢプロセッサ８５６を含んでもよい。
【０３０３】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３０４】
また、ＲＲＨ８６０は、接続インタフェース８６１及び無線通信インタフェース８６３を備える。
【０３０５】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３０６】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１４に示したように複数のＲＦ回路８６４を含み、複数のＲＦ回路８６４は、例えば複数のアンテナ素子にそれぞれ対応してもよい。なお、図１４には無線通信インタフェース８６３が複数のＲＦ回路８６４を含む例を示したが、無線通信インタフェース８６３は単一のＲＦ回路８６４を含んでもよい。
【０３０７】
図１４に示したｅＮＢ８３０において、図７を参照して説明した処理部３５０に含まれる１つ以上の構成要素（情報取得部３５１、見積部３５３、要求部３５５及び／又は通信制御部３５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図６を参照して説明した処理部２５０に含まれる１つ以上の構成要素（例えば、情報取得部２５１及び／又は通信制御部２５３）も、処理部３５０に含まれる上記１つ以上の構成要素と同様である。
【０３０８】
また、図１４に示したｅＮＢ８３０において、例えば、図７を参照して説明した無線通信部３２０は、無線通信インタフェース８６３（例えば、ＲＦ回路８６４）において実装されてもよい。また、アンテナ部３１０は、アンテナ８４０において実装されてもよい。また、ネットワーク通信部３３０は、コントローラ８５１及び／又はネットワークインタフェース８５３において実装されてもよい。これらの点については、図６を参照して説明したアンテナ部２１０、無線通信部２２０及びネットワーク通信部２３０も、アンテナ部３１０、無線通信部３２０及びネットワーク通信部３３０と同様である。
【０３０９】
＜４．３．スモールセル基地局に関する応用例＞
（第１の応用例）
図１５は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３１０】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３１１】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３１２】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１５に示したように複数のＢＢプロセッサ９１３及び複数のＲＦ回路９１４を含んでもよい。なお、図１５には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３１３】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３１４】
アンテナスイッチ９１５の各々は、無線通信インタフェース９１２に含まれる複数の回路（例えば、異なる無線通信方式のための回路）の間でアンテナ９１６の接続先を切り替える。
【０３１５】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１５に示したように複数のアンテナ９１６を有してもよい。なお、図１５にはスマートフォン９００が複数のアンテナ９１６を有する例を示したが、スマートフォン９００は単一のアンテナ９１６を有してもよい。
【０３１６】
さらに、スマートフォン９００は、無線通信方式ごとにアンテナ９１６を備えてもよい。その場合に、アンテナスイッチ９１５は、スマートフォン９００の構成から省略されてもよい。
【０３１７】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１５に示したスマートフォン９００の各ブロックへ電力を供給する。補助コントローラ９１９は、例えば、スリープモードにおいて、スマートフォン９００の必要最低限の機能を動作させる。
【０３１８】
図１５に示したスマートフォン９００において、図７を参照して説明した処理部３５０に含まれる１つ以上の構成要素（情報取得部３５１、見積部３５３、要求部３５５及び／又は通信制御部３５７）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３１９】
また、図１５に示したスマートフォン９００において、例えば、図７を参照して説明した無線通信部３２０は、無線通信インタフェース９１２（例えば、ＲＦ回路９１４）において実装されてもよい。また、アンテナ部３１０は、アンテナ９１６において実装されてもよい。
【０３２０】
（第２の応用例）
図１６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３２１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３２２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３２３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３２４】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１６に示したように複数のＢＢプロセッサ９３４及び複数のＲＦ回路９３５を含んでもよい。なお、図１６には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３２５】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３２６】
アンテナスイッチ９３６の各々は、無線通信インタフェース９３３に含まれる複数の回路（例えば、異なる無線通信方式のための回路）の間でアンテナ９３７の接続先を切り替える。
【０３２７】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１６に示したように複数のアンテナ９３７を有してもよい。なお、図１６にはカーナビゲーション装置９２０が複数のアンテナ９３７を有する例を示したが、カーナビゲーション装置９２０は単一のアンテナ９３７を有してもよい。
【０３２８】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３２９】
バッテリー９３８は、図中に破線で部分的に示した給電ラインを介して、図１６に示したカーナビゲーション装置９２０の各ブロックへ電力を供給する。また、バッテリー９３８は、車両側から給電される電力を蓄積する。
【０３３０】
図１６に示したカーナビゲーション装置９２０において、図７を参照して説明した処理部３５０に含まれる１つ以上の構成要素（情報取得部３５１、見積部３５３、要求部３５５及び／又は通信制御部３５７）は、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３１】
また、図１６に示したカーナビゲーション装置９２０において、例えば、図７を参照して説明した無線通信部３２０は、無線通信インタフェース９３３（例えば、ＲＦ回路９３５）において実装されてもよい。また、アンテナ部３１０は、アンテナ９３７において実装されてもよい。
【０３３２】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３３３】
＜＜５．まとめ＞＞
ここまで、図１〜図１６を参照して、本開示の実施形態に係る各装置及び各処理を説明した。
【０３３４】
本開示に係る実施形態によれば、情報処理装置１００は、セルラーシステムと他のシステムとの間で共用される共用帯域のうちの、上記セルラーシステムのマクロセル基地局２００が使用可能な周波数帯域に関する帯域関連情報であって、上記セルラーシステムの複数のマクロセル基地局２００のためのコントローラ５０により提供される上記帯域関連情報を取得する情報取得部１３３と、マクロセル基地局２００が使用可能な上記周波数帯域のうちの、マクロセル基地局２００に対応するスモールセル基地局３００が使用可能な周波数帯域を決定する通信制御部１３５と、を備える。
【０３３５】
これにより、例えば、ＨｅｔＮｅｔを採用するセルラーシステムと他のシステムとの間で周波数帯域が共用される場合に特定のノードへの負担の集中を回避することが可能になる。
【０３３６】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０３３７】
例えば、情報処理装置はマクロセル基地局とは異なる装置である例を説明したが、本開示は係る例に限定されない。例えば、情報処理装置の構成要素（例えば、要求部、情報取得部及び通信制御部）は、マクロセル基地局により備えられてもよい。即ち、情報処理装置は、マクロセル基地局において実装されてもよい。
【０３３８】
また、本明細書の各処理における処理ステップは、必ずしもフローチャート又はシーケンス図に記載された順序に沿って時系列に実行されなくてよい。例えば、各処理における処理ステップは、フローチャート又はシーケンス図として記載した順序と異なる順序で実行されても、並列的に実行されてもよい。
【０３３９】
また、本明細書の装置（情報処理装置、マクロセル基地局又はスモールセル基地局）に備えられるプロセッサ（例えば、ＣＰＵ、ＤＳＰなど）を上記装置の構成要素（例えば、情報取得部及び通信制御部など）として機能させるためのコンピュータプログラム（換言すると、上記プロセッサに上記装置の構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び通信制御部など）の動作を含む方法も、本開示に係る技術に含まれる。
【０３４０】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３４１】
なお、以下のような構成も本開示の技術的範囲に属する。
（１）
セルラーシステムと他のシステムとの間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得する取得部と、
前記マクロセル基地局が使用可能な前記周波数帯域のうちの、前記マクロセル基地局に対応するスモールセル基地局が使用可能な周波数帯域を決定する制御部と、
を備える装置。
（２）
前記マクロセル基地局が使用可能な前記周波数帯域は、前記マクロセル基地局の位置に基づいて決定される帯域である、前記（１）に記載の装置。
（３）
前記制御部は、前記スモールセル基地局の位置に基づいて、前記スモールセル基地局が使用可能な前記周波数帯域を決定する、前記（１）又は（２）に記載の装置。
（４）
前記帯域関連情報は、前記マクロセル基地局が使用可能な前記周波数帯域を前記マクロセル基地局が使用する際の最大送信電力を示す情報を含み、
前記制御部は、前記最大送信電力に基づいて、前記スモールセル基地局が使用可能な前記周波数帯域を決定する、
前記（１）〜（３）のいずれか１項に記載の装置。
（５）
前記制御部は、前記スモールセル基地局のスモールセルにおけるトラフィック量に基づいて、前記スモールセル基地局が使用可能な前記周波数帯域を決定する、前記（１）〜（４）のいずれか１項に記載の装置。
（６）
前記制御部は、前記スモールセル基地局が送受信するデータの優先度に基づいて、前記スモールセル基地局が使用可能な前記周波数帯域を決定する、前記（１）〜（５）のいずれか１項に記載の装置。
（７）
前記制御部は、前記スモールセル基地局のスモールセルにおける通信品質に基づいて、前記スモールセル基地局が使用可能な前記周波数帯域を決定する、前記（１）〜（６）のいずれか１項に記載の装置。
（８）
前記制御部は、前記スモールセル基地局が使用可能な前記周波数帯域を前記スモールセル基地局が使用する際の最大送信電力を決定する、前記（１）〜（７）のいずれか１項に記載の装置。
（９）
前記帯域関連情報は、前記マクロセル基地局が使用可能な前記周波数帯域を前記マクロセル基地局が使用する際の最大送信電力を示す情報を含み、
前記制御部は、前記マクロセル基地局が使用可能な前記周波数帯域を前記マクロセル基地局が使用する際の前記最大送信電力に基づいて、前記スモールセル基地局が使用可能な前記周波数帯域を前記スモールセル基地局が使用する際の前記最大送信電力を決定する、
前記（８）に記載の装置。
（１０）
前記制御部は、前記スモールセル基地局のスモールセルにおける通信品質に基づいて、前記最大送信電力を決定する、前記（８）又は（９）に記載の装置。
（１１）
前記制御部は、前記スモールセル基地局からの要求に応じて、前記スモールセル基地局が使用可能な前記周波数帯域を決定する、前記（１）〜（１０）のいずれか１項に記載の装置。
（１２）
前記制御部は、前記スモールセル基地局が使用可能な前記周波数帯域に関する別の帯域関連情報を前記スモールセル基地局に提供する、前記（１）〜（１１）のいずれか１項に記載の装置。
（１３）
前記別の帯域関連情報は、前記スモールセル基地局が使用可能な前記周波数帯域の使用可能エリアを示す情報を含む、前記（１２）に記載の装置。
（１４）
前記マクロセル基地局による前記共用帯域の使用の許可を前記コントローラに要求する要求部、
をさらに備え、
前記帯域関連情報は、前記許可の要求に応じて前記コントローラにより提供される情報である、
前記（１）〜（１３）のいずれか１項に記載の装置。
（１５）
前記要求部は、前記マクロセル基地局の位置を示す位置情報を前記コントローラに提供する、前記（１４）に記載の装置。
（１６）
前記要求部は、前記マクロセル基地局のマクロセル及び前記スモールセル基地局のスモールセルにおけるトラフィック量を示す情報を前記コントローラに提供する、前記（１４）又は（１５）に記載の装置。
（１７）
前記取得部は、前記マクロセル基地局による前記共用帯域の使用が許可される場合に、前記帯域関連情報を取得し、前記マクロセル基地局による前記共用帯域の使用が許可されない場合には、前記許可の要求が禁止される期間を示す禁止期間情報であって、前記コントローラにより提供される前記禁止期間情報を取得する、前記（１４）〜（１６）のいずれか１項に記載の装置。
（１８）
前記帯域関連情報は、前記マクロセル基地局が使用可能な前記周波数帯域の使用可能期間を示す情報を含む、前記（１）〜（１７）のいずれか１項に記載の装置。
（１９）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得する取得部と、
前記マクロセル基地局による前記帯域関連情報のマルチキャスト又はブロードキャストを制御する制御部と、
を備える装置。
（２０）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得する取得部と、
前記マクロセル基地局が使用可能な前記周波数帯域のうちの、前記マクロセル基地局に対応するスモールセル基地局が使用可能な周波数帯域の見積りを行う見積部と、
前記スモールセル基地局が使用可能な前記周波数帯域がある場合に、前記スモールセル基地局による前記共用帯域の使用の許可を要求する要求部と、
を備える装置。
（２１）
前記取得部は、前記セルラーシステムの２つ以上のマクロセル基地局の各々について、前記共用帯域のうちのマクロセル基地局が使用可能な周波数帯域に関する帯域関連情報であって、前記コントローラにより提供される前記帯域関連情報を取得し、
前記制御部は、前記２つ以上のマクロセル基地局の各々について、マクロセル基地局に対応するスモールセル基地局が使用可能な周波数帯域を決定する、
前記（１）〜（１８）のいずれか１項に記載の装置。
（２２）
前記制御部のための処理リソースの拡大及び縮小を行う処理リソース制御部、
をさらに備える、前記（１）〜（１８）及び（２１）のいずれか１項に記載の装置。
（２３）
前記制御部は、２つ以上のスモールセル基地局の各々について、スモールセル基地局が使用可能な周波数帯域を決定し、
前記処理リソース制御部は、前記２つ以上のスモールセル基地局のうちの動作中のスモールセル基地局の数に基づいて、前記制御部のための処理リソースの拡大及び縮小を行う、
前記（２２）に記載の装置。
（２４）
前記装置は、前記セルラーシステムのコアネットワークノード、又は当該コアネットワークノードのモジュールである、前記（１）〜（１８）及び（２１）〜（２３）のいずれか１項に記載の装置。
（２５）
前記装置は、前記マクロセル基地局、前記マクロセル基地局のための基地局装置、又は当該基地局装置のためのモジュールである、前記（１）〜（１８）及び（２１）〜（２４）のいずれか１項に記載の装置。
（２６）
前記スモールセル基地局は、基地局として動作可能であり且つ移動可能な装置を含む、請求項前記（１）〜（１８）及び（２１）〜（２５）のいずれか１項に記載の装置。
（２７）
前記制御部は、前記マクロセル基地局が使用可能な前記周波数帯域を前記マクロセル基地局が使用する際の最大送信電力に応じた送信電力で前記マルチキャスト又は前記ブロードキャストが行われるように、前記マルチキャスト又は前記ブロードキャストを制御する、前記（１９）に記載の装置。
（２８）
前記装置は、前記マクロセル基地局である、前記（１９）又は（２６）に記載の装置。
（２９）
前記装置は、前記スモールセル基地局である、前記（２０）に記載の装置。
（３０）
セルラーシステムと他のシステムとの間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
プロセッサにより、前記マクロセル基地局が使用可能な前記周波数帯域のうちの、前記マクロセル基地局に対応するスモールセル基地局が使用可能な周波数帯域を決定することと、
を含む方法。
（３１）
セルラーシステムと他のシステムとの間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局が使用可能な前記周波数帯域のうちの、前記マクロセル基地局に対応するスモールセル基地局が使用可能な周波数帯域を決定することと、
をプロセッサに実行させるためのプログラム。
（３２）
セルラーシステムと他のシステムとの間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局が使用可能な前記周波数帯域のうちの、前記マクロセル基地局に対応するスモールセル基地局が使用可能な周波数帯域を決定することと、
をプロセッサに実行させるためのプログラムを記録した読み取り可能な記録媒体。
（３３）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
プロセッサにより、前記マクロセル基地局による前記帯域関連情報のマルチキャスト又はブロードキャストを制御することと、
を含む方法。
（３４）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局による前記帯域関連情報のマルチキャスト又はブロードキャストを制御することと、
をプロセッサに実行させるためのプログラム。
（３５）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局による前記帯域関連情報のマルチキャスト又はブロードキャストを制御することと、
をプロセッサに実行させるためのプログラムを記録した読み取り可能な記録媒体。
（３６）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
プロセッサにより、前記マクロセル基地局が使用可能な前記周波数帯域のうちの、前記マクロセル基地局に対応するスモールセル基地局が使用可能な周波数帯域の見積りを行うことと、
前記スモールセル基地局が使用可能な前記周波数帯域がある場合に、プロセッサにより、前記スモールセル基地局による前記共用帯域の使用の許可を要求することと、
を含む方法。
（３７）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局が使用可能な前記周波数帯域のうちの、前記マクロセル基地局に対応するスモールセル基地局が使用可能な周波数帯域の見積りを行うことと、
前記スモールセル基地局が使用可能な前記周波数帯域がある場合に、前記スモールセル基地局による前記共用帯域の使用の許可を要求することと、
をプロセッサに実行させるためのプログラム。
（３８）
セルラーシステムの無線通信と他の無線通信との間で共用される共用帯域のうちの、前記セルラーシステムのマクロセル基地局が使用可能な周波数帯域に関する帯域関連情報であって、前記セルラーシステムの複数のマクロセル基地局のためのコントローラにより提供される前記帯域関連情報を取得することと、
前記マクロセル基地局が使用可能な前記周波数帯域のうちの、前記マクロセル基地局に対応するスモールセル基地局が使用可能な周波数帯域の見積りを行うことと、
前記スモールセル基地局が使用可能な前記周波数帯域がある場合に、前記スモールセル基地局による前記共用帯域の使用の許可を要求することと、
をプロセッサに実行させるためのプログラムを記録した読み取り可能な記録媒体。
【符号の説明】
【０３４２】
１        通信システム
２０      マクロセル
３０      スモールセル
４０      周波数管理システム
５０      コントローラ
７０      ルータ」
１００    情報処理装置
１３１    要求部
１３３    情報取得部
１３５    通信制御部
１３７    処理リソース制御部
２００    マクロセル基地局
２５１    情報取得部
２５３    通信制御部
３００    スモールセル基地局
３５１    情報取得部
３５３    見積部
３５５    要求部
３５７    通信制御部
【図１】
2019071694.tif 000003
【図２】
2019071694.tif 000004
【図３】
2019071694.tif 000005
【図４】
2019071694.tif 000006
【図５】
2019071694.tif 000007
【図６】
2019071694.tif 000008
【図７】
2019071694.tif 000009
【図８】
2019071694.tif 000010
【図９】
2019071694.tif 000011
【図１０】
2019071694.tif 000012
【図１１】
2019071694.tif 000013
【図１２】
2019071694.tif 000014
【図１３】
2019071694.tif 000015
【図１４】
2019071694.tif 000016
【図１５】
2019071694.tif 000017
【図１６】
2019071694.tif 000018
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
セルラーシステムと他のシステムとの間で共用される共用帯域のうちの、前記セルラーシステムが使用可能な周波数帯域に関する帯域関連情報であって、
周波数管理システムにより提供される前記帯域関連情報を取得する取得部と、
前記セルラーシステムが使用可能な前記周波数帯域のうちの、前記セルラーシステムの基地局が使用可能な周波数帯域を前記基地局へ提供する制御部と、
を備える装置。
【請求項２】
前記セルラーシステムが使用可能な前記周波数帯域は、前記セルラーシステムの基地局の位置に基づいて決定される帯域である、請求項１に記載の装置。
【請求項３】
前記制御部は、前記セルラーシステムの基地局の位置に基づいて、前記セルラーシステムの基地局が使用可能な前記周波数帯域を提供する、請求項１または２に記載の装置。
【請求項４】
前記帯域関連情報は、前記セルラーシステムが使用可能な前記周波数帯域を前記セルラーシステムが使用する際の最大送信電力を示す情報を含み、
前記制御部は、前記最大送信電力に基づいて、前記セルラーシステムの基地局が使用可能な前記周波数帯域を決定する、
請求項１〜３のいずれかに記載の装置。
【請求項５】
前記制御部は、前記セルラーシステムの基地局のセルにおけるトラフィック量に基づいて、前記セルラーシステムの基地局が使用可能な前記周波数帯域を提供する、請求項１〜４のいずれかに記載の装置。
【請求項６】
前記制御部は、前記セルラーシステムの基地局が送受信するデータの優先度に基づいて、前記セルラーシステムの基地局が使用可能な前記周波数帯域を提供する、請求項１〜５のいずれかに記載の装置。
【請求項７】
前記制御部は、前記セルラーシステムの基地局のセルにおける通信品質に基づいて、前記セルラーシステムの基地局が使用可能な前記周波数帯域を提供する、請求項１〜６のいずれかに記載の装置。
【請求項８】
前記制御部は、前記セルラーシステムの基地局が使用可能な前記周波数帯域を前記セルラーシステムの基地局が使用する際の最大送信電力を決定する、請求項１〜７のいずれかに記載の装置。
【請求項９】
前記帯域関連情報は、前記セルラーシステムが使用可能な前記周波数帯域を前記セルラーシステムが使用する際の最大送信電力を示す情報を含み、
前記制御部は、前記セルラーシステムが使用可能な前記周波数帯域を前記セルラーシステムが使用する際の前記最大送信電力に基づいて、前記セルラーシステムの基地局が使用可能な前記周波数帯域を前記セルラーシステムの基地局が使用する際の前記最大送信電力を決定する、
請求項８に記載の装置。
【請求項１０】
前記制御部は、前記セルラーシステムの基地局のセルにおける通信品質に基づいて、前記最大送信電力を提供する、請求項８または９に記載の装置。
【請求項１１】
前記制御部は、前記セルラーシステムの基地局からの要求に応じて、前記セルラーシステムの基地局が使用可能な前記周波数帯域を提供する、請求項１〜１０のいずれかに記載の装置。
【請求項１２】
前記制御部は、前記セルラーシステムの基地局が使用可能な前記周波数帯域に関する別の帯域関連情報を前記セルラーシステムの基地局に提供する、請求項１〜１１のいずれかに記載の装置。
【請求項１３】
前記別の帯域関連情報は、前記セルラーシステムの基地局が使用可能な前記周波数帯域の使用可能エリアを示す情報を含む、請求項１２に記載の装置。
【請求項１４】
前記セルラーシステムによる前記共用帯域の使用の許可を前記周波数管理システムに要求する要求部、
をさらに備え、
前記帯域関連情報は、前記許可の要求に応じて前記周波数管理システムにより提供される情報である、
請求項１〜１３のいずれかに記載の装置。
【請求項１５】
前記要求部は、前記セルラーシステムの基地局のセルにおけるトラフィック量を示す情報を前記周波数管理システムに提供する、請求項１４に記載の装置。
【請求項１６】
前記取得部は、前記セルラーシステムによる前記共用帯域の使用が許可される場合に、前記帯域関連情報を取得し、前記セルラーシステムによる前記共用帯域の使用が許可されない場合には、前記許可の要求が禁止される期間を示す禁止期間情報であって、前記周波数管理システムにより提供される前記禁止期間情報を取得する、請求項１４に記載の装置。
【請求項１７】
前記帯域関連情報は、前記セルラーシステムが使用可能な前記周波数帯域の使用可能期間を示す情報を含む、請求項１〜１６のいずれかに記載の装置。
【請求項１８】
前記セルラーシステムの基地局が使用可能な前記周波数帯域は、キャリアアグリゲーションのＳＣＣ（Secondary  Component  Carrier）として使用される、請求項１〜１７のいずれかに記載の装置。
【請求項１９】
セルラーシステムと他のシステムとの間で共用される共用帯域のうちの、前記セルラーシステムが使用可能な周波数帯域を用いて前記セルラーシステムの基地局と無線通信を行う端末装置であって、
前記セルラーシステムの基地局により設定された前記周波数帯域の送信電力及び／又は使用期間を用い、前記周波数帯域をキャリアアグリゲーションのＳＣＣとして使用する、
端末装置。
【請求項２０】
セルラーシステムと他のシステムとの間で共用される共用帯域のうちの、前記セルラーシステムが使用可能な周波数帯域を用いて無線通信を行う前記セルラーシステムの基地局から、前記共用帯域の仕様許可要求を取得し、
前記セルラーシステムの基地局による前記共用帯域の使用の許可を周波数管理システムに要求し、
前記共用帯域のうちの前記セルラーシステムの基地局が使用可能な周波数帯域に関する情報を取得する、
通信制御装置。